(57)【要約】ソースセルと関連付けられた無線送受信ユニット（ＷＴＲＵ）による通信のための方法、デバイスおよびシステム。ＷＴＲＵは、トリガ条件および構成されたターゲットセルを含む条件付き再構成を用いるように構成される。ＷＴＲＵは、ソースセルにおけるＷＴＲＵの動作に対して障害をもたらす、障害イベントの発生を検出する。障害イベントがトリガ条件を満足する場合、再構成が、構成されたターゲットセルを用いて実行される。障害イベントがトリガ条件を満足しない場合、ターゲットセルが、セル選択手順に基づいて選択され、ＷＴＲＵが選択されたターゲットセルについての条件付き再構成を用いるように構成されている場合、再構成が、選択されたターゲットセルを用いて実行され、ＷＴＲＵがターゲットセルについての条件付き再構成を用いるように構成されていない場合、再確立が、選択されたターゲットセルを用いて実行される。
2021520114.tif 000002
【特許請求の範囲】
【請求項１】
ソースセルと関連付けられた無線送受信ユニット（ＷＴＲＵ）による通信のための方法であって、
トリガ条件および構成されたターゲットセルを含む条件付き再構成を用いるように前記ＷＴＲＵを構成するステップと、
前記ＷＴＲＵによって、前記ソースセルにおける前記ＷＴＲＵの動作に対して障害をもたらす、障害イベントの発生を検出するステップと、
前記障害イベントが前記トリガ条件を満足する条件で、
前記構成されたターゲットセルを用いて再構成を実行するステップと、
前記障害イベントが前記トリガ条件を満足しない条件で、
セル選択手順に基づいてターゲットセルを選択し、
前記ＷＴＲＵが、前記選択されたターゲットセルについての条件付き再構成を用いるように構成されている場合、
前記選択されたターゲットセルを用いて再構成を実行し、
前記ＷＴＲＵが、前記ターゲットセルについての条件付き再構成を用いるように構成されていない場合、
前記選択されたターゲットセルを用いて再確立を実行するステップと
を備える方法。
【請求項２】
前記再構成は、ハンドオーバを含む請求項１に記載の方法。
【請求項３】
前記障害イベントは、無線リンクモニタリング（ＲＬＭ）プロセスからの下位レイヤ問題を示すインジケーション、ランダムアクセス問題インジケーションを示すインジケーション、最大無線リンク制御（ＲＬＣ）再送に到達したことを示すインジケーション、ビーム回復に失敗したことを示すインジケーション、再構成失敗、インテグリティチェック失敗、またはハンドオーバ失敗のうちの１つまたは複数を含む請求項１に記載の方法。
【請求項４】
前記ＷＴＲＵが前記構成されたターゲットセルを用いて前記再構成を実行する条件で、
前記再構成が完了した後、前記条件付き再構成のパラメータを、前記構成されたターゲットセルに送信するステップと、
前記ＷＴＲＵが前記選択されたターゲットセルを用いて前記再構成を実行する条件で、
前記再構成が完了した後、前記条件付き再構成の前記パラメータを、前記選択されたターゲットセルに送信するステップと
をさらに備える請求項１に記載の方法。
【請求項５】
前記トリガ条件は、複数の測定量を含む請求項１に記載の方法。
【請求項６】
前記トリガ条件は、複数の参照信号タイプを含む請求項１に記載の方法。
【請求項７】
前記構成されたターゲットセルは、少なくとも１つの潜在的なターゲットセルの中から、前記少なくとも１つの潜在的なターゲットセルの特性に基づいて選択される請求項１に記載の方法。
【請求項８】
前記セル選択手順は、前記少なくとも１つの潜在的なターゲットセルの特性に基づいて前記ターゲットセルを選択する請求項１に記載の方法。
【請求項９】
第２の構成されたターゲットセルを用いるように、前記ＷＴＲＵを構成するステップをさらに備える請求項１に記載の方法。
【請求項１０】
前記構成されたターゲットセルは、第１の優先順位と関連付けられ、前記第２の構成されたターゲットセルは、第２の優先順位と関連付けられ、前記ＷＴＲＵは、前記第２の優先順位が前記第１の優先順位よりも大きい条件で、前記構成されたターゲットセルの代わりに、前記第２の構成されたターゲットセルを用いて前記再構成を実行する請求項９に記載の方法。
【請求項１１】
ソースセルと関連付けられた無線送受信ユニット（ＷＴＲＵ）であって、
トリガ条件および構成されたターゲットセルを含む条件付き再構成を用いるように前記ＷＴＲＵを構成する、構成回路と、
前記ソースセルにおける前記ＷＴＲＵの動作に対して障害をもたらす、障害イベントの発生を検出する、検出回路と
を備え、
前記障害イベントが前記トリガ条件を満足する条件で、
再構成回路が、前記構成されたターゲットセルを用いて再構成を実行し、
前記障害イベントが前記トリガ条件を満足しない条件で、
選択回路が、セル選択手順に基づいてターゲットセルを選択し、
前記ＷＴＲＵが、前記選択されたターゲットセルについての条件付き再構成を用いるように構成されている場合、
前記再構成回路は、前記選択されたターゲットセルを用いて再構成を実行し、
前記ＷＴＲＵが、前記ターゲットセルについての条件付き再構成を用いるように構成されていない場合、
再確立回路が、前記選択されたターゲットセルを用いて再確立を実行する
ＷＴＲＵ。
【請求項１２】
前記再構成は、ハンドオーバを含む請求項１１に記載のＷＴＲＵ。
【請求項１３】
前記障害イベントは、無線リンクモニタリング（ＲＬＭ）プロセスからの下位レイヤ問題を示すインジケーション、ランダムアクセス問題インジケーションを示すインジケーション、最大無線リンク制御（ＲＬＣ）再送に到達したことを示すインジケーション、ビーム回復に失敗したことを示すインジケーション、再構成失敗、インテグリティチェック失敗、またはハンドオーバ失敗のうちの１つまたは複数を含む請求項１１に記載のＷＴＲＵ。
【請求項１４】
前記ＷＴＲＵが前記構成されたターゲットセルを用いて前記再構成を実行する条件で、前記再構成が完了した後、前記条件付き再構成のパラメータを、前記構成されたターゲットセルに送信し、
前記ＷＴＲＵが前記選択されたターゲットセルを用いて前記再構成を実行する条件で、前記再構成が完了した後、前記条件付き再構成の前記パラメータを、前記選択されたターゲットセルに送信する
ように構成された送信回路をさらに備えた請求項１１に記載のＷＴＲＵ。
【請求項１５】
前記トリガ条件は、複数の測定量を含む請求項１１に記載のＷＴＲＵ。
【請求項１６】
前記トリガ条件は、複数の参照信号タイプを含む請求項１１に記載のＷＴＲＵ。
【請求項１７】
前記セル選択手順は、少なくとも１つの潜在的なターゲットセルの中から、前記選択されたターゲットセルを選択する請求項１１に記載のＷＴＲＵ。
【請求項１８】
前記少なくとも１つの潜在的なターゲットセルは、前記少なくとも１つの潜在的なターゲットセルの特性に基づく請求項１７に記載のＷＴＲＵ。
【請求項１９】
前記構成回路は、第２の構成されたターゲットセルを用いるように、前記ＷＴＲＵを構成する請求項１１に記載のＷＴＲＵ。
【請求項２０】
前記構成されたターゲットセルは、第１の優先順位と関連付けられ、前記第２の構成されたターゲットセルは、第２の優先順位と関連付けられ、前記ＷＴＲＵは、前記第２の優先順位が前記第１の優先順位よりも大きい条件で、前記構成されたターゲットセルの代わりに、前記第２の構成されたターゲットセルを用いて前記再構成を実行する請求項１９に記載のＷＴＲＵ。
【発明の詳細な説明】
【技術分野】
【０００１】
無線システムにおける強化されたモビリティのための方法に関する。
【背景技術】
【０００２】
関連出願の相互参照
本出願は、２０１８年４月３日に出願された米国特許仮出願第６２／６５２１６３号、および２０１８年９月２５日に出願された米国特許仮出願第６２／７３６２９０号に基づく利益を主張する。
【０００３】
モバイル通信は、漸進的に進化しており、モバイルネットワークは、第５世代（５Ｇ）の玄関口にある。以前の世代と同様に、新しい使用事例が、新しいシステムのための要件を設定する際に、大きく貢献した。５Ｇエアインターフェースと、それのニューラジオ（ＮＲ）アクセス技術は、改善されたブロードバンド性能（ＩＢＢ）、産業用制御および通信（ＩＣＣ）、および車両アプリケーション（Ｖ２Ｘ）、ならびに大規模マシンタイプコミュニケーション（ｍＭＴＣ）などの使用事例を可能にすることを期待されている。
【発明の概要】
【発明が解決しようとする課題】
【０００４】
無線システムにおける強化されたモビリティのための方法を提供する。
【課題を解決するための手段】
【０００５】
ソースセルと関連付けられた無線送受信ユニット（ＷＴＲＵ）による通信のための方法、デバイス、およびシステム。ＷＴＲＵは、トリガ条件および構成されたターゲットセル（configured target cell）を含む条件付き再構成を用いるように構成される。ＷＴＲＵは、ソースセルにおけるＷＴＲＵの動作に対して障害をもたらす、障害イベント（impairment event）の発生を検出する。障害イベントがトリガ条件を満足する場合、再構成（reconfiguration）が、構成されたターゲットセルを用いて実行される。障害イベントがトリガ条件を満足しない場合、ターゲットセルが、セル選択手順に基づいて、選択され、ＷＴＲＵが、選択されたターゲットセルについての条件付き再構成を用いるように構成されている場合、再構成が、選択されたターゲットセルを用いて実行され、ＷＴＲＵが、ターゲットセルについての条件付き再構成を用いるように構成されていない場合、再確立が、選択されたターゲットセルを用いて実行される。
【０００６】
より詳細な理解は、添付の図面と併せて、例として与えられる、以下の説明から得ることができ、図中の同様の参照番号は、同様の要素を示す。
【図面の簡単な説明】
【０００７】
【図１Ａ】１つまたは複数の開示された実施形態を実施できる、例示的通信システムを示す図である。
【図１Ｂ】実施形態による図１Ａの通信システム内で使用できる、例示的無線送受信ユニット（ＷＴＲＵ）を示すシステム図である。
【図１Ｃ】実施形態による図１Ａの通信システム内で使用できる、例示的無線アクセスネットワーク（ＲＡＮ）およびコアネットワーク（ＣＮ）を示すシステム図である。
【図１Ｄ】実施形態による図１Ａの通信システム内で使用できる、さらなる例示的なＲＡＮおよびＣＮを例示するシステム図である。
【図２】モビリティシグナリング問題と関連付けられた、ハンドオーバ失敗原因を示す図である。
【図３】ソースセルにおけるサービングビームとの関連付けに基づいてアクティブ化される、ＣＦＲＡリソースを例示するセル図である。
【図４】構成ミスマッチシナリオを例示するメッセージシーケンスチャートである。
【図５】条件付きハンドオーバへのフォールバックを含む、再確立の例示的手順を示すメッセージシーケンスチャートである。
【発明を実施するための形態】
【０００８】
図１Ａは、１つまたは複数の開示される実施形態を実施することができる、例示的な通信システム１００を例示する図である。通信システム１００は、音声、データ、ビデオ、メッセージング、放送などのコンテンツを複数の無線ユーザに提供する、多元接続システムであることができる。通信システム１００は、複数の無線ユーザが、無線帯域幅を含むシステムリソースの共用を通して、そのようなコンテンツにアクセスすることを可能にすることができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、ゼロテールユニークワードＤＦＴ拡散ＯＦＤＭ（ＺＴ  ＵＷ  ＤＴＳ−ｓ  ＯＦＤＭ）、ユニークワードＯＦＤＭ（ＵＷ−ＯＦＤＭ）、リソースブロックフィルタードＯＦＤＭ、およびフィルタバンクマルチキャリア（ＦＢＭＣ）など、１つまたは複数のチャネルアクセス方法を利用することができる。
【０００９】
図１Ａに示されるように、通信システム１００は、無線送受信ユニット（ＷＴＲＵ）１０２ａ、１０２ｂ、１０２ｃ、１０２ｄと、ＲＡＮ１０４と、ＣＮ１０６と、公衆交換電話網（ＰＳＴＮ）１０８と、インターネット１１０と、他のネットワーク１１２とを含むことができるが、開示される実施形態は、任意の数のＷＴＲＵ、基地局、ネットワーク、および／またはネットワーク要素を企図していることが理解されよう。ＷＴＲＵ１０２ａ、１０２ｂ、１０２ｃ、１０２ｄの各々は、無線環境において動作および／または通信するように構成された任意のタイプのデバイスであることができる。例として、それのどれもが、「局」および／または「ＳＴＡ」と呼ばれることがある、ＷＴＲＵ１０２ａ、１０２ｂ、１０２ｃ、１０２ｄは、無線信号を送信および／または受信するように構成することができ、ユーザ機器（ＵＥ）、移動局、固定または移動加入者ユニット、サブスクリクションベースのユニット、ページャ、セルラ電話、パーソナルデジタルアシスタント（ＰＤＡ）、スマートフォン、ラップトップ、ネットブック、パーソナルコンピュータ、無線センサ、ホットスポットまたはＭｉ−Ｆｉデバイス、モノのインターネット（ＩｏＴ）デバイス、ウォッチまたは他のウェアラブル、ヘッドマウントディスプレイ（ＨＭＤ）、乗物、ドローン、医療用デバイスおよびアプリケーション（例えば、遠隔手術）、工業用デバイスおよびアプリケーション（例えば、工業用および／または自動化された処理チェーン状況において動作するロボットおよび／または他の無線デバイス）、家電デバイス、ならびに商業用および／または工業用無線ネットワーク上において動作するデバイスなどを含むことができる。ＷＴＲＵ１０２ａ、１０２ｂ、１０２ｃ、１０２ｄのいずれも、交換可能に、ＵＥと呼ばれることがある。
【００１０】
通信システム１００は、基地局１１４ａおよび／または基地局１１４ｂも含むことができる。基地局１１４ａ、１１４ｂの各々は、ＣＮ１０６／１１５、インターネット１１０、および／または他のネットワーク１１２など、１つまたは複数の通信ネットワークへのアクセスを容易にするために、ＷＴＲＵ１０２ａ、１０２ｂ、１０２ｃ、１０２ｄのうちの少なくとも１つと無線でインターフェースをとるように構成された任意のタイプのデバイスであることができる。例として、基地局１１４ａ、１１４ｂは、基地送受信機局（ＢＴＳ）、ノードＢ、ｅノードＢ（ｅＮＢ）、ホームノードＢ、ホームｅノードＢ、ｇＮＢ、ＮＲノードＢ、サイトコントローラ、アクセスポイント（ＡＰ）、および無線ルータなどであることができる。基地局１１４ａ、１１４ｂは、各々が、単一の要素として描かれているが、基地局１１４ａ、１１４ｂは、任意の数の相互接続された基地局および／またはネットワーク要素を含むことができることが理解されよう。
【００１１】
基地局１１４ａは、ＲＡＮ１０４／１１３の一部であることができ、ＲＡＮ１０４／１１３は、他の基地局、および／または基地局コントローラ（ＢＳＣ）、無線ネットワークコントローラ（ＲＮＣ）、中継ノードなどのネットワーク要素（図示されず）も含むことができる。基地局１１４ａおよび／または基地局１１４ｂは、セル（図示されず）と呼ばれることがある、１つまたは複数のキャリア周波数上において、無線信号を送信および／または受信するように構成することができる。これらの周波数は、免許要スペクトル、免許不要スペクトル、または免許要スペクトルと免許不要スペクトルとの組み合わせの中にあることができる。セルは、相対的に一定であることができる、または時間とともに変化することができる特定の地理的エリアに、無線サービス用のカバレージを提供することができる。セルは、さらに、セルセクタに分割することができる。例えば、基地局１１４ａと関連付けられたセルは、３つのセクタに分割することができる。したがって、一実施形態においては、基地局１１４ａは、送受信機を３つ、すなわち、セルの各セクタに対して１つずつ含むことができる。実施形態においては、基地局１１４ａは、多入力多出力（ＭＩＭＯ）技術を利用することができ、セルの各セクタに対して複数の送受信機を利用することができる。例えば、所望の空間方向において信号を送信および／または受信するために、ビームフォーミングを使用することができる。
【００１２】
基地局１１４ａ、１１４ｂは、エアインターフェース１１６上において、ＷＴＲＵ１０２ａ、１０２ｂ、１０２ｃ、１０２ｄのうちの１つまたは複数と通信することができ、エアインターフェース１１６は、任意の適切な無線通信リンク（例えば、無線周波（ＲＦ）、マイクロ波、センチメートル波、マイクロメートル波、赤外線（ＩＲ）、紫外線（ＵＶ）、可視光など）であることができる。エアインターフェース１１６は、任意の適切な無線アクセス技術（ＲＡＴ）を使用して、確立することができる。
【００１３】
より具体的には、上で言及されたように、通信システム１００は、多元接続システムであることができ、ＣＤＭＡ、ＴＤＭＡ、ＦＤＭＡ、ＯＦＤＭＡ、およびＳＣ−ＦＤＭＡなど、１つまたは複数のチャネルアクセス方式を利用することができる。例えば、ＲＡＮ１０４／１１３内の基地局１１４ａと、ＷＴＲＵ１０２ａ、１０２ｂ、１０２ｃは、広帯域ＣＤＭＡ（ＷＣＤＭＡ）を使用して、エアインターフェース１１６を確立することができる、ユニバーサル移動体通信システム（ＵＭＴＳ）地上無線アクセス（ＵＴＲＡ）などの無線技術を実施することができる。ＷＣＤＭＡは、高速パケットアクセス（ＨＳＰＡ）および／または進化型ＨＳＰＡ（ＨＳＰＡ＋）などの通信プロトコルを含むことができる。ＨＳＰＡは、高速ダウンリンク（ＤＬ）パケットアクセス（ＨＳＤＰＡ）、および／または高速アップリンク（ＵＬ）パケットアクセス（ＨＳＵＰＡ）を含むことができる。
【００１４】
実施形態においては、基地局１１４ａと、ＷＴＲＵ１０２ａ、１０２ｂ、１０２ｃは、ロングタームエボリューション（ＬＴＥ）、および／またはＬＴＥアドバンスト（ＬＴＥ−Ａ）、および／またはＬＴＥアドバンストプロ（ＬＴＥ−Ａ  Ｐｒｏ）を使用して、エアインターフェース１１６を確立することができる、進化型ＵＭＴＳ地上無線アクセス（Ｅ−ＵＴＲＡ）などの無線技術を実施することができる。
【００１５】
実施形態においては、基地局１１４ａと、ＷＴＲＵ１０２ａ、１０２ｂ、１０２ｃは、ニューラジオ（ＮＲ）を使用して、エアインターフェース１１６を確立することができる、ＮＲ無線アクセスなどの無線技術を実施することができる。
【００１６】
実施形態においては、基地局１１４ａと、ＷＴＲＵ１０２ａ、１０２ｂ、１０２ｃは、複数の無線アクセス技術を実施することができる。例えば、基地局１１４ａと、ＷＴＲＵ１０２ａ、１０２ｂ、１０２ｃは、例えば、デュアルコネクティビティ（ＤＣ）原理を使用して、ＬＴＥ無線アクセスと、ＮＲ無線アクセスとを一緒に実施することができる。したがって、ＷＴＲＵ１０２ａ、１０２ｂ、１０２ｃによって利用されるエアインターフェースは、複数のタイプの無線アクセス技術、ならびに／または複数のタイプの基地局（例えば、ｅＮＢおよびｇＮＢ）に／から送信される送信によって特徴付けることができる。
【００１７】
他の実施形態においては、基地局１１４ａと、ＷＴＲＵ１０２ａ、１０２ｂ、１０２ｃは、ＩＥＥＥ８０２．１１（すなわち、ワイヤレスフィデリティ（ＷｉＦｉ））、ＩＥＥＥ８０２．１６（すなわち、マイクロ波アクセス用世界的相互運用性（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ）、ＧＳＭエボリューション用高速データレート（ＥＤＧＥ）、およびＧＳＭ  ＥＤＧＥ（ＧＥＲＡＮ）などの無線技術を実施することができる。
【００１８】
図１Ａにおける基地局１１４ｂは、例えば、無線ルータ、ホームノードＢ、ホームｅノードＢ、またはアクセスポイントであることができ、事業所、自宅、乗物、キャンパス、産業用施設、（例えば、ドローンによって使用される）エアコリド、および車道など、局所化されたエリアにおける無線接続性を容易にするために、任意の適切なＲＡＴを利用することができる。一実施形態においては、基地局１１４ｂと、ＷＴＲＵ１０２ｃ、１０２ｄは、ＩＥＥＥ８０２．１１などの無線技術を実施して、無線ローカルエリアネットワーク（ＷＬＡＮ）を確立することができる。実施形態においては、基地局１１４ｂと、ＷＴＲＵ１０２ｃ、１０２ｄは、ＩＥＥＥ８０２．１５などの無線技術を実施して、無線パーソナルエリアネットワーク（ＷＰＡＮ）を確立することができる。また別の実施形態においては、基地局１１４ｂと、ＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａ、ＬＴＥ−Ａ  Ｐｒｏ、ＮＲなど）を利用して、ピコセルまたはフェムトセルを確立することができる。図１Ａに示されるように、基地局１１４ｂは、インターネット１１０への直接的な接続を有することができる。したがって、基地局１１４ｂは、ＣＮ１０６／１１５を介してインターネット１１０にアクセスする必要がないことがある。
【００１９】
ＲＡＮ１０４／１１３は、ＣＮ１０６／１１５と通信することができ、ＣＮ１０６／１１５は、音声、データ、アプリケーション、および／またはボイスオーバインターネットプロトコル（ＶｏＩＰ）サービスを、ＷＴＲＵ１０２ａ、１０２ｂ、１０２ｃ、１０２ｄのうちの１つまたは複数に提供するように構成された任意のタイプのネットワークであることができる。データは、異なるスループット要件、遅延要件、エラー耐性要件、信頼性要件、データスループット要件、およびモビリティ要件など、様々なサービス品質（ＱｏＳ）要件を有することができる。ＣＮ１０６／１１５は、呼制御、ビリングサービス、モバイルロケーションベースのサービス、プリペイド発呼、インターネット接続性、ビデオ配信などを提供することができ、および／またはユーザ認証など、高レベルセキュリティ機能を実行することができる。図１Ａには示されていないが、ＲＡＮ１０４／１１３および／またはＣＮ１０６／１１５は、ＲＡＮ１０４／１１３と同じＲＡＴまたは異なるＲＡＴを利用する他のＲＡＮと直接的または間接的通信を行うことができることが理解されよう。例えば、ＮＲ無線技術を利用していることがあるＲＡＮ１０４／１１３に接続されていることに加えて、ＣＮ１０６／１１５は、ＧＳＭ、ＵＭＴＳ、ＣＤＭＡ２０００、ＷｉＭＡＸ、Ｅ−ＵＴＲＡ、またはＷｉＦｉ無線技術を利用する別のＲＡＮ（図示されず）とも通信することができる。
【００２０】
ＣＮ１０６／１１５は、ＷＴＲＵ１０２ａ、１０２ｂ、１０２ｃ、１０２ｄが、ＰＳＴＮ１０８、インターネット１１０、および／または他のネットワーク１１２にアクセスするためのゲートウェイとしての役割も果たすことができる。ＰＳＴＮ１０８は、基本電話サービス（ＰＯＴＳ）を提供する、回線交換電話網を含むことができる。インターネット１１０は、ＴＣＰ／ＩＰインターネットプロトコルスイート内の伝送制御プロトコル（ＴＣＰ）、ユーザデータグラムプロトコル（ＵＤＰ）、および／またはインターネットプロトコル（ＩＰ）など、共通の通信プロトコルを使用する、相互接続されたコンピュータネットワークおよびデバイスからなる地球規模のシステムを含むことができる。ネットワーク１１２は、他のサービスプロバイダによって所有および／または運営される、有線および／または無線通信ネットワークを含むことができる。例えば、ネットワーク１１２は、ＲＡＮ１０４／１１３と同じＲＡＴまたは異なるＲＡＴを利用することができる１つまたは複数のＲＡＮに接続された、別のＣＮを含むことができる。
【００２１】
通信システム１００内のＷＴＲＵ１０２ａ、１０２ｂ、１０２ｃ、１０２ｄのうちのいくつかまたはすべては、マルチモード機能を含むことができる（例えば、ＷＴＲＵ１０２ａ、１０２ｂ、１０２ｃ、１０２ｄは、異なる無線リンク上において、異なる無線ネットワークと通信するための、複数の送受信機を含むことができる）。例えば、図１Ａに示されるＷＴＲＵ１０２ｃは、セルラベースの無線技術を利用することができる基地局１１４ａと通信するように、またＩＥＥＥ８０２無線技術を利用することができる基地局１１４ｂと通信するように構成することができる。
【００２２】
図１Ｂは、例示的なＷＴＲＵ１０２を例示するシステム図である。図１Ｂに示されるように、ＷＴＲＵ１０２は、とりわけ、プロセッサ１１８、送受信機１２０、送信／受信要素１２２、スピーカ／マイクロフォン１２４、キーパッド１２６、ディスプレイ／タッチパッド１２８、非リムーバブルメモリ１３０、リムーバブルメモリ１３２、電源１３４、全地球測位システム（ＧＰＳ）チップセット１３６、および／または他の周辺機器１３８を含むことができる。ＷＴＲＵ１０２は、実施形態との整合性を保ちながら、上記の要素の任意のサブコンビネーションを含むことができることが理解されよう。
【００２３】
プロセッサ１１８は、汎用プロセッサ、専用プロセッサ、従来型プロセッサ、デジタル信号プロセッサ（ＤＳＰ）、複数のマイクロプロセッサ、ＤＳＰコアと連携する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、および状態機械などであることができる。プロセッサ１１８は、信号符号化、データ処理、電力制御、入力／出力処理、および／またはＷＴＲＵ１０２が無線環境において動作することを可能にする他の任意の機能性を実行することができる。プロセッサ１１８は、送受信機１２０に結合することができ、送受信機１２０は、送信／受信要素１２２に結合することができる。図１Ｂは、プロセッサ１１８と送受信機１２０を別個の構成要素として描いているが、プロセッサ１１８と送受信機１２０は、電子パッケージまたはチップ内に一緒に統合することができることが理解されよう。
【００２４】
送信／受信要素１２２は、エアインターフェース１１６上において、基地局（例えば、基地局１１４ａ）に信号を送信し、または基地局から信号を受信するように構成することができる。例えば、一実施形態においては、送信／受信要素１２２は、ＲＦ信号を送信および／または受信するように構成されたアンテナであることができる。実施形態においては、送信／受信要素１２２は、例えば、ＩＲ、ＵＶ、または可視光信号を送信および／または受信するように構成された放射器／検出器であることができる。また別の実施形態においては、送信／受信要素１２２は、ＲＦ信号および光信号の両方を送信および／または受信するように構成することができる。送信／受信要素１２２は、無線信号の任意の組み合わせを送信および／または受信するように構成することができることが理解されよう。
【００２５】
図１Ｂにおいては、送信／受信要素１２２は、単一の要素として描かれているが、ＷＴＲＵ１０２は、任意の数の送信／受信要素１２２を含むことができる。より具体的には、ＷＴＲＵ１０２は、ＭＩＭＯ技術を利用することができる。したがって、一実施形態においては、ＷＴＲＵ１０２は、エアインターフェース１１６上において無線信号を送信および受信するための２つ以上の送信／受信要素１２２（例えば、複数のアンテナ）を含むことができる。
【００２６】
送受信機１２０は、送信／受信要素１２２によって送信されることになる信号を変調し、送信／受信要素１２２によって受信された信号を復調するように構成することができる。上で言及されたように、ＷＴＲＵ１０２は、マルチモード機能を有することができる。したがって、送受信機１２０は、ＷＴＲＵ１０２が、例えば、ＮＲおよびＩＥＥＥ８０２．１１など、複数のＲＡＴを介して通信することを可能にするための、複数の送受信機を含むことができる。
【００２７】
ＷＴＲＵ１０２のプロセッサ１１８は、スピーカ／マイクロフォン１２４、キーパッド１２６、および／またはディスプレイ／タッチパッド１２８（例えば、液晶表示（ＬＣＤ）ディスプレイユニットもしくは有機発光ダイオード（ＯＬＥＤ）ディスプレイユニット）に結合することができ、それらからユーザ入力データを受信することができる。プロセッサ１１８は、スピーカ／マイクロフォン１２４、キーパッド１２６、および／またはディスプレイ／タッチパッド１２８にユーザデータを出力することもできる。加えて、プロセッサ１１８は、非リムーバブルメモリ１３０および／またはリムーバブルメモリ１３２など、任意のタイプの適切なメモリから情報を入手することができ、それらにデータを記憶することができる。非リムーバブルメモリ１３０は、ランダムアクセスメモリ（ＲＡＭ）、リードオンリメモリ（ＲＯＭ）、ハードディスク、または他の任意のタイプのメモリ記憶デバイスを含むことができる。リムーバブルメモリ１３２は、加入者識別モジュール（ＳＩＭ）カード、メモリスティック、およびセキュアデジタル（ＳＤ）メモリカードなどを含むことができる。他の実施形態においては、プロセッサ１１８は、サーバまたはホームコンピュータ（図示されず）上などに配置された、ＷＴＲＵ１０２上に物理的に配置されていないメモリから情報を入手することができ、それらにデータを記憶することができる。
【００２８】
プロセッサ１１８は、電源１３４から電力を受け取ることができ、ＷＴＲＵ１０２内の他の構成要素に電力を分配するように、および／またはそれらへの電力を制御するように構成することができる。電源１３４は、ＷＴＲＵ１０２に給電するための任意の適切なデバイスであることができる。例えば、電源１３４は、１つまたは複数の乾電池（例えば、ニッケル−カドミウム（ＮｉＣｄ）、ニッケル−亜鉛（ＮｉＺｎ）、ニッケル水素（ＮｉＭＨ）、リチウム−イオン（Ｌｉ−ｉｏｎ）など）、太陽電池、および燃料電池などを含むことができる。
【００２９】
プロセッサ１１８は、ＧＰＳチップセット１３６にも結合することができ、ＧＰＳチップセット１３６は、ＷＴＲＵ１０２の現在ロケーションに関するロケーション情報（例えば、経度および緯度）を提供するように構成することができる。ＧＰＳチップセット１３６からの情報に加えて、またはそれの代わりに、ＷＴＲＵ１０２は、基地局（例えば、基地局１１４ａ、１１４ｂ）からエアインターフェース１１６上においてロケーション情報を受信することができ、および／または２つ以上の近くの基地局から受信している信号のタイミングに基づいて、自らのロケーションを決定することができる。ＷＴＲＵ１０２は、実施形態との整合性を保ちながら、任意の適切なロケーション決定方法を用いて、ロケーション情報を獲得することができることが理解されよう。
【００３０】
プロセッサ１１８は、さらに他の周辺機器１３８に結合することができ、他の周辺機器１３８は、追加の特徴、機能性、および／または有線もしくは無線接続性を提供する、１つまたは複数のソフトウェアモジュールおよび／またはハードウェアモジュールを含むことができる。例えば、周辺機器１３８は、加速度計、ｅコンパス、衛星送受信機、（写真および／またはビデオ用の）デジタルカメラ、ユニバーサルシリアルバス（ＵＳＢ）ポート、バイブレーションデバイス、テレビ送受信機、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、インターネットブラウザ、仮想現実および／または拡張現実（ＶＲ／ＡＲ）デバイス、ならびにアクティビティトラッカなどを含むことができる。周辺機器１３８は、１つまたは複数のセンサを含むことができ、センサは、ジャイロスコープ、加速度計、ホール効果センサ、磁力計、方位センサ、近接センサ、温度センサ、時間センサ、ジオロケーションセンサ、高度計、光センサ、タッチセンサ、気圧計、ジェスチャセンサ、バイオメトリックセンサ、および／または湿度センサのうちの１つまたは複数であることができる。
【００３１】
ＷＴＲＵ１０２は、（例えば、（例えば、送信用の）ＵＬと（例えば、受信用の）ダウンリンクの両方のための特定のサブフレームと関連付けられた）信号のいくつかまたはすべての送信および受信が、並列および／または同時であることができる、全二重無線を含むことができる。全二重無線は、ハードウェア（例えば、チョーク）を介して、またはプロセッサ（例えば、別個のプロセッサ（図示されず）もしくはプロセッサ１１８）を介する信号処理を介して、自己干渉を低減させ、および／または実質的に除去するために、干渉管理ユニット１３９を含むことができる。実施形態においては、ＷＴＲＵ１０２は、（例えば、（例えば、送信用の）ＵＬまたは（例えば、受信用の）ダウンリンクのどちらかのための特定のサブフレームと関連付けられた）信号のいくつかまたはすべての送信および受信のための、半二重無線を含むことができる。
【００３２】
図１Ｃは、実施形態に従った、ＲＡＮ１０４およびＣＮ１０６を例示するシステム図である。上で言及されたように、ＲＡＮ１０４は、Ｅ−ＵＴＲＡ無線技術を利用して、エアインターフェース１１６上において、ＷＴＲＵ１０２ａ、１０２ｂ、１０２ｃと通信することができる。ＲＡＮ１０４は、ＣＮ１０６とも通信することができる。
【００３３】
ＲＡＮ１０４は、ｅノードＢ１６０ａ、１６０ｂ、１６０ｃを含むことができるが、ＲＡＮ１０４は、実施形態との整合性を保ちながら、任意の数のｅノードＢを含むことができることが理解されよう。ｅノードＢ１６０ａ、１６０ｂ、１６０ｃは、各々が、エアインターフェース１１６上においてＷＴＲＵ１０２ａ、１０２ｂ、１０２ｃと通信するための、１つまたは複数の送受信機を含むことができる。一実施形態においては、ｅノードＢ１６０ａ、１６０ｂ、１６０ｃは、ＭＩＭＯ技術を実施することができる。したがって、ｅノードＢ１６０ａは、例えば、複数のアンテナを使用して、ＷＴＲＵ１０２ａに無線信号を送信し、および／またはＷＴＲＵ１０２ａから無線信号を受信することができる。
【００３４】
ｅノードＢ１６０ａ、１６０ｂ、１６０ｃの各々は、特定のセル（図示されず）と関連付けることができ、無線リソース管理決定、ハンドオーバ決定、ならびにＵＬおよび／またはＤＬにおけるユーザのスケジューリングなどを処理するように構成することができる。図１Ｃに示されるように、ｅノードＢ１６０ａ、１６０ｂ、１６０ｃは、Ｘ２インターフェース上において、互いに通信することができる。
【００３５】
図１Ｃに示されるＣＮ１０６は、モビリティ管理エンティティ（ＭＭＥ）１６２と、サービングゲートウェイ（ＳＧＷ）１６４と、パケットデータネットワーク（ＰＤＮ）ゲートウェイ（またはＰＧＷ）１６６とを含むことができる。上記の要素の各々は、ＣＮ１０６の部分として描かれているが、これらの要素のうちのいずれも、ＣＮオペレータとは異なるエンティティによって所有および／または運営することができることが理解されよう。
【００３６】
ＭＭＥ１６２は、Ｓ１インターフェースを介して、ＲＡＮ１０４内のｅノードＢ１６０ａ、１６０ｂ、１６０ｃの各々に接続することができ、制御ノードとしての役割を果たすことができる。例えば、ＭＭＥ１６２は、ＷＴＲＵ１０２ａ、１０２ｂ、１０２ｃのユーザを認証すること、ベアラアクティブ化／非アクティブ化、およびＷＴＲＵ１０２ａ、１０２ｂ、１０２ｃの初期アタッチ中に特定のサービングゲートウェイを選択することなどを担うことができる。ＭＭＥ１６２は、ＲＡＮ１０４と、ＧＳＭおよび／またはＷＣＤＭＡなどの他の無線技術を利用する他のＲＡＮ（図示されず）との間における交換のためのコントロールプレーン機能を提供することができる。
【００３７】
ＳＧＷ１６４は、Ｓ１インターフェースを介して、ＲＡＮ１０４内のｅノードＢ１６０ａ、１６０ｂ、１６０ｃの各々に接続することができる。ＳＧＷ１６４は、一般に、ユーザデータパケットをＷＴＲＵ１０２ａ、１０２ｂ、１０２ｃに／からルーティングおよび転送することができる。ＳＧＷ１６４は、ｅノードＢ間ハンドオーバ中にユーザプレーンをアンカリングすること、ＤＬデータがＷＴＲＵ１０２ａ、１０２ｂ、１０２ｃに利用可能なときにページングをトリガすること、ならびにＷＴＲＵ１０２ａ、１０２ｂ、１０２ｃのコンテキストを管理および記憶することなど、他の機能を実行することができる。
【００３８】
ＳＧＷ１６４は、ＰＧＷ１６６に接続することができ、ＰＧＷ１６６は、インターネット１１０など、パケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を容易にすることができる。
【００３９】
ＣＮ１０６は、他のネットワークとの通信を容易にすることができる。例えば、ＣＮ１０６は、ＰＳＴＮ１０８など、回線交換ネットワークへのアクセスをＷＴＲＵ１０２ａ、１０２ｂ、１０２ｃに提供して、ＷＴＲＵ１０２ａ、１０２ｂ、１０２ｃと従来の固定電話回線通信デバイスとの間の通信を容易にすることができる。例えば、ＣＮ１０６は、ＣＮ１０６とＰＳＴＮ１０８との間のインターフェースとしての役割を果たすＩＰゲートウェイ（例えば、ＩＰマルチメディアサブシステム（ＩＭＳ）サーバ）を含むことができ、またはそれと通信することができる。加えて、ＣＮ１０６は、他のネットワーク１１２へのアクセスをＷＴＲＵ１０２ａ、１０２ｂ、１０２ｃに提供することができ、他のネットワーク１１２は、他のサービスプロバイダによって所有および／または運営される他の有線および／または無線ネットワークを含むことができる。
【００４０】
図１Ａ〜図１Ｄにおいては、ＷＴＲＵは、無線端末として説明されるが、ある代表的な実施形態においては、そのような端末は、通信ネットワークとの有線通信インターフェースを（例えば、一時的または永続的に）使用することができることが企図されている。
【００４１】
代表的な実施形態においては、他のネットワーク１１２は、ＷＬＡＮであることができる。
【００４２】
インフラストラクチャ基本サービスセット（ＢＳＳ）モードにあるＷＬＡＮは、ＢＳＳのためのアクセスポイント（ＡＰ）と、ＡＰと関連付けられた１つまたは複数の局（ＳＴＡ）とを有することができる。ＡＰは、トラフィックをＢＳＳ内および／またはＢＳＳ外に搬送する、ディストリビューションシステム（ＤＳ）または別のタイプの有線／無線ネットワークへのアクセスまたはインターフェースを有することができる。ＢＳＳ外部から発信されたＳＴＡへのトラフィックは、ＡＰを通して到着することができ、ＳＴＡに配送することができる。ＳＴＡからＢＳＳ外部の送信先に発信されたトラフィックは、それぞれの送信先に配送するために、ＡＰに送信することができる。ＢＳＳ内のＳＴＡ間のトラフィックは、ＡＰを通して送信することができ、例えば、送信元ＳＴＡは、トラフィックをＡＰに送信することができ、ＡＰは、トラフィックを送信先ＳＴＡに配送することができる。ＢＳＳ内のＳＴＡ間のトラフィックは、ピアツーピアトラフィックと見なすことができ、および／またはピアツーピアトラフィックと呼ばれることがある。ピアツーピアトラフィックは、直接リンクセットアップ（ＤＬＳ）を用いて、送信元ＳＴＡと送信先ＳＴＡとの間で（例えば、直接的に）送信することができる。ある代表的な実施形態においては、ＤＬＳは、８０２．１１ｅ  ＤＬＳまたは８０２．１１ｚトンネルＤＬＳ（ＴＤＬＳ）を使用することができる。独立ＢＳＳ（ＩＢＳＳ）モードを使用するＷＬＡＮは、ＡＰを有さないことがあり、ＩＢＳＳ内の、またはＩＢＳＳを使用するＳＴＡ（例えば、ＳＴＡのすべて）は、互いに直接的に通信することができる。ＩＢＳＳモードの通信は、本明細書においては、ときに「アドホック」モードの通信と呼ばれることがある。
【００４３】
８０２．１１ａｃインフラストラクチャモードの動作または類似したモードの動作を使用するとき、ＡＰは、プライマリチャネルなどの固定されたチャネル上において、ビーコンを送信することができる。プライマリチャネルは、固定された幅（例えば、２０ＭＨｚ幅帯域幅）、またはシグナリングを介して動的に設定された幅であることができる。プライマリチャネルは、ＢＳＳの動作チャネルであることができ、ＡＰとの接続を確立するために、ＳＴＡによって使用することができる。ある代表的な実施形態においては、例えば、８０２．１１システムにおいては、キャリアセンス多重アクセス／衝突回避（ＣＳＭＡ／ＣＡ）を実施することができる。ＣＳＭＡ／ＣＡの場合、ＡＰを含むＳＴＡ（例えば、あらゆるＳＴＡ）は、プライマリチャネルをセンスすることができる。プライマリチャネルが、特定のＳＴＡによってセンス／検出され、および／またはビジーであると決定された場合、特定のＳＴＡは、バックオフすることができる。与えられたＢＳＳ内においては、任意の与えられた時間に、１つのＳＴＡ（例えば、ただ１つのＳＴＡ）が、送信することができる。
【００４４】
高スループット（ＨＴ）ＳＴＡは、例えば、プライマリ２０ＭＨｚチャネルを隣接または非隣接２０ＭＨｚチャネルと組み合わせて、４０ＭＨｚ幅のチャネルを形成することを介して、通信のために４０ＭＨｚ幅チャネルを使用することができる。
【００４５】
超高スループット（ＶＨＴ）ＳＴＡは、２０ＭＨｚ、４０ＭＨｚ、８０ＭＨｚ、および／または１６０ＭＨｚ幅チャネルをサポートすることができる。４０ＭＨｚおよび／または８０ＭＨｚチャネルは、連続する２０ＭＨｚチャネルを組み合わせることによって形成することができる。１６０ＭＨｚチャネルは、８つの連続する２０ＭＨｚチャネルを組み合わせることによって形成することができ、または２つの非連続な８０ＭＨｚチャネルを組み合わせることによって形成することができ、これは、８０＋８０構成と呼ばれることがある。８０＋８０構成の場合、データは、チャネルエンコーディングの後、データを２つのストリームに分割することができるセグメントパーサを通過することができる。各ストリームに対して別々に、逆高速フーリエ変換（ＩＦＦＴ）処理、および時間領域処理を行うことができる。ストリームは、２つの８０ＭＨｚチャネル上にマッピングすることができ、データは、送信ＳＴＡによって送信することができる。受信ＳＴＡの受信機においては、８０＋８０構成のための上で説明された動作を逆転することができ、組み合わされたデータは、媒体アクセス制御（ＭＡＣ）に送信することができる。
【００４６】
１ＧＨｚ未満モードの動作は、８０２．１１ａｆおよび８０２．１１ａｈによってサポートされる。チャネル動作帯域幅およびキャリアは、８０２．１１ｎおよび８０２．１１ａｃにおいて使用されるそれらと比べて、８０２．１１ａｆおよび８０２．１１ａｈにおいては低減させられる。８０２．１１ａｆは、ＴＶホワイトスペース（ＴＶＷＳ）スペクトルにおいて、５ＭＨｚ、１０ＭＨｚ、および２０ＭＨｚ帯域幅をサポートし、８０２．１１ａｈは、非ＴＶＷＳスペクトルを使用して、１ＭＨｚ、２ＭＨｚ、４ＭＨｚ、８ＭＨｚ、および１６ＭＨｚ帯域幅をサポートする。代表的な実施形態に従うと、８０２．１１ａｈは、マクロカバレージエリアにおけるマシンタイプコミュニケーション（ＭＴＣ）デバイスなど、メータタイプ制御／マシンタイプコミュニケーションをサポートすることができる。ＭＴＣデバイスは、一定の機能を、例えば、一定の帯域幅および／または限られた帯域幅のサポート（例えば、それらのサポートだけ）を含む限られた機能を有することができる。ＭＴＣデバイスは、（例えば、非常に長いバッテリ寿命を維持するために）しきい値を上回るバッテリ寿命を有するバッテリを含むことができる。
【００４７】
８０２．１１ｎ、８０２．１１ａｃ、８０２．１１ａｆ、および８０２．１１ａｈなど、複数のチャネルおよびチャネル帯域幅をサポートすることができる、ＷＬＡＮシステムは、プライマリチャネルとして指定することができるチャネルを含む。プライマリチャネルは、ＢＳＳ内のすべてのＳＴＡによってサポートされる最大の共通動作帯域幅に等しい帯域幅を有することができる。プライマリチャネルの帯域幅は、ＢＳＳ内において動作するすべてのＳＴＡの中の、最小帯域幅動作モードをサポートするＳＴＡによって設定および／または制限することができる。８０２．１１ａｈの例においては、ＢＳＳ内のＡＰおよび他のＳＴＡが、２ＭＨｚ、４ＭＨｚ、８ＭＨｚ、１６ＭＨｚ、および／または他のチャネル帯域幅動作モードをサポートする場合であっても、１ＭＨｚモードをサポートする（例えば、それだけをサポートする）ＳＴＡ（例えば、ＭＴＣタイプデバイス）のために、プライマリチャネルは、１ＭＨｚ幅であることができる。キャリアセンシングおよび／またはネットワークアロケーションベクトル（ＮＡＶ）設定は、プライマリチャネルのステータスに依存することができる。例えば、（１ＭＨｚ動作モードだけをサポートする）ＳＴＡが、ＡＰに送信しているせいで、プライマリチャネルが、ビジーである場合、利用可能な周波数バンドの大部分が、アイドルのままであり、利用可能であることができるとしても、利用可能な周波数バンド全体をビジーと見なすことができる。
【００４８】
米国においては、８０２．１１ａｈによって使用することができる利用可能な周波数バンドは、９０２ＭＨｚから９２８ＭＨｚである。韓国においては、利用可能な周波数バンドは、９１７．５ＭＨｚから９２３．５ＭＨｚである。日本においては、利用可能な周波数バンドは、９１６．５ＭＨｚから９２７．５ＭＨｚである。８０２．１１ａｈのために利用可能な合計帯域幅は、国の規則に応じて、６ＭＨｚから２６ＭＨｚである。
【００４９】
図１Ｄは、実施形態に従った、ＲＡＮ１１３およびＣＮ１１５を示すシステム図である。上で言及されたように、ＲＡＮ１１３は、ＮＲ無線技術を利用して、エアインターフェース１１６上において、ＷＴＲＵ１０２ａ、１０２ｂ、１０２ｃと通信することができる。ＲＡＮ１１３は、ＣＮ１１５とも通信することができる。
【００５０】
ＲＡＮ１１３は、ｇＮＢ１８０ａ、１８０ｂ、１８０ｃを含むことができるが、ＲＡＮ１１３は、実施形態との整合性を保ちながら、任意の数のｇＮＢを含むことができることが理解されよう。ｇＮＢ１８０ａ、１８０ｂ、１８０ｃは、各々が、エアインターフェース１１６上においてＷＴＲＵ１０２ａ、１０２ｂ、１０２ｃと通信するための、１つまたは複数の送受信機を含むことができる。一実施形態においては、ｇＮＢ１８０ａ、１８０ｂ、１８０ｃは、ＭＩＭＯ技術を実施することができる。例えば、ｇＮＢ１８０ａ、１０８ｂは、ビームフォーミングを利用して、ｇＮＢ１８０ａ、１８０ｂ、１８０ｃに信号を送信し、および／またはｇＮＢ１８０ａ、１８０ｂ、１８０ｃから信号を受信することができる。したがって、ｇＮＢ１８０ａは、例えば、複数のアンテナを使用して、ＷＴＲＵ１０２ａに無線信号を送信し、および／またはＷＴＲＵ１０２ａから無線信号を受信することができる。実施形態においては、ｇＮＢ１８０ａ、１８０ｂ、１８０ｃは、キャリアアグリゲーション技術を実施することができる。例えば、ｇＮＢ１８０ａは、ＷＴＲＵ１０２ａに複数のコンポーネントキャリアを送信することができる（図示されず）。これらのコンポーネントキャリアのサブセットは、免許不要スペクトル上にあることができるが、残りのコンポーネントキャリアは、免許要スペクトル上にあることができる。実施形態においては、ｇＮＢ１８０ａ、１８０ｂ、１８０ｃは、多地点協調（ＣｏＭＰ）技術を実施することができる。例えば、ＷＴＲＵ１０２ａは、ｇＮＢ１８０ａとｇＮＢ１８０ｂ（および／またはｇＮＢ１８０ｃ）から調整された送信を受信することができる。
【００５１】
ＷＴＲＵ１０２ａ、１０２ｂ、１０２ｃは、スケーラブルなヌメロロジ（numerology）と関連付けられた送信を使用して、ｇＮＢ１８０ａ、１８０ｂ、１８０ｃと通信することができる。例えば、ＯＦＤＭシンボル間隔、および／またはＯＦＤＭサブキャリア間隔は、異なる送信、異なるセル、および／または無線送信スペクトルの異なる部分ごとに様々であることができる。ＷＴＲＵ１０２ａ、１０２ｂ、１０２ｃは、（例えば、様々な数のＯＦＤＭシンボルを含む、および／または様々な長さの絶対時間だけ持続する）様々なまたはスケーラブルな長さのサブフレームまたは送信時間間隔（ＴＴＩ）を使用して、ｇＮＢ１８０ａ、１８０ｂ、１８０ｃと通信することができる。
【００５２】
ｇＮＢ１８０ａ、１８０ｂ、１８０ｃは、スタンドアロン構成および／または非スタンドアロン構成で、ＷＴＲＵ１０２ａ、１０２ｂ、１０２ｃと通信するように構成することができる。スタンドアロン構成においては、ＷＴＲＵ１０２ａ、１０２ｂ、１０２ｃは、（例えば、ｅノードＢ１６０ａ、１６０ｂ、１６０ｃなどの）他のＲＡＮにアクセスすることもなしに、ｇＮＢ１８０ａ、１８０ｂ、１８０ｃと通信することができる。スタンドアロン構成においては、ＷＴＲＵ１０２ａ、１０２ｂ、１０２ｃは、ｇＮＢ１８０ａ、１８０ｂ、１８０ｃのうちの１つまたは複数を、モビリティアンカポイントとして利用することができる。スタンドアロン構成においては、ＷＴＲＵ１０２ａ、１０２ｂ、１０２ｃは、免許不要バンド内において信号を使用して、ｇＮＢ１８０ａ、１８０ｂ、１８０ｃと通信することができる。非スタンドアロン構成においては、ＷＴＲＵ１０２ａ、１０２ｂ、１０２ｃは、ｅノードＢ１６０ａ、１６０ｂ、１６０ｃなどの別のＲＡＮとも通信し／別のＲＡＮにも接続しながら、ｇＮＢ１８０ａ、１８０ｂ、１８０ｃと通信し／ｇＮＢ１８０ａ、１８０ｂ、１８０ｃに接続することができる。例えば、ＷＴＲＵ１０２ａ、１０２ｂ、１０２ｃは、ＤＣ原理を実施して、１つまたは複数のｇＮＢ１８０ａ、１８０ｂ、１８０ｃ、および１つまたは複数のｅノードＢ１６０ａ、１６０ｂ、１６０ｃと実質的に同時に通信することができる。非スタンドアロン構成においては、ｅノードＢ１６０ａ、１６０ｂ、１６０ｃは、ＷＴＲＵ１０２ａ、１０２ｂ、１０２ｃのためのモビリティアンカとしての役割を果たすことができ、ｇＮＢ１８０ａ、１８０ｂ、１８０ｃは、ＷＴＲＵ１０２ａ、１０２ｂ、１０２ｃにサービスするための追加のカバレージおよび／またはスループットを提供することができる。
【００５３】
ｇＮＢ１８０ａ、１８０ｂ、１８０ｃの各々は、特定のセル（図示されず）と関連付けることができ、無線リソース管理決定、ハンドオーバ決定、ＵＬおよび／またはＤＬにおけるユーザのスケジューリング、ネットワークスライシングのサポート、デュアルコネクティビティ、ＮＲとＥ−ＵＴＲＡとの間のインターワーキング、ユーザプレーンデータのユーザプレーン機能（ＵＰＦ）１８４ａ、１８４ｂへのルーティング、ならびにコントロールプレーン情報のアクセスおよびモビリティ管理機能（ＡＭＦ）１８２ａ、１８２ｂへのルーティングなどを処理するように構成することができる。図１Ｄに示されるように、ｇＮＢ１８０ａ、１８０ｂ、１８０ｃは、Ｘｎインターフェース上において、互いに通信
図１Ｄに示されるＣＮ１１５は、少なくとも１つのＡＭＦ１８２ａ、１８２ｂと、少なくとも１つのＵＰＦ１８４ａ、１８４ｂと、少なくとも１つのセッション管理機能（ＳＭＦ）１８３ａ、１８３ｂと、おそらくは、データネットワーク（ＤＮ）１８５ａ、１８５ｂとを含むことができる。上記の要素の各々は、ＣＮ１１５の部分として描かれているが、これらの要素のうちのいずれも、ＣＮオペレータとは異なるエンティティによって所有および／または運営することができることが理解されよう。
【００５４】
ＡＭＦ１８２ａ、１８２ｂは、Ｎ２インターフェースを介して、ＲＡＮ１１３内のｇＮＢ１８０ａ、１８０ｂ、１８０ｃのうちの１つまたは複数に接続することができ、制御ノードとしての役割を果たすことができる。例えば、ＡＭＦ１８２ａ、１８２ｂは、ＷＴＲＵ１０２ａ、１０２ｂ、１０２ｃのユーザを認証すること、ネットワークスライシングのサポート（例えば、異なる要件を有する異なるＰＤＵセッションの処理）、特定のＳＭＦ１８３ａ、１８３ｂを選択すること、レジストレーションエリアの管理、ＮＡＳシグナリングの終了、およびモビリティ管理などを担うことができる。ネットワークスライシングは、ＷＴＲＵ１０２ａ、１０２ｂ、１０２ｃによって利用されるサービスのタイプに基づいて、ＷＴＲＵ１０２ａ、１０２ｂ、１０２ｃに対するＣＮサポートをカスタマイズするために、ＡＭＦ１８２ａ、１８２ｂによって使用することができる。例えば、超高信頼低遅延（ＵＲＬＬＣ）アクセスに依存するサービス、高速大容量モバイルブロードバンド（ｅＭＢＢ）アクセスに依存するサービス、および／またはマシンタイプコミュニケーション（ＭＴＣ）アクセスのためのサービスなど、異なる使用事例のために、異なるネットワークスライスを確立することができる。ＡＭＦ１８２ａ、１８２ｂは、ＲＡＮ１１３と、ＬＴＥ、ＬＴＥ−Ａ、ＬＴＥ−Ａ  Ｐｒｏ、および／またはＷｉＦｉのような非３ＧＰＰアクセス技術など、他の無線技術を利用する他のＲＡＮ（図示されず）との間の交換のためのコントロールプレーン機能を提供することができる。
【００５５】
ＳＭＦ１８３ａ、１８３ｂは、Ｎ１１インターフェースを介して、ＣＮ１１５内のＡＭＦ１８２ａ、１８２ｂに接続することができる。ＳＭＦ１８３ａ、１８３ｂは、Ｎ４インターフェースを介して、ＣＮ１１５内のＵＰＦ１８４ａ、１８４ｂに接続することもできる。ＳＭＦ１８３ａ、１８３ｂは、ＵＰＦ１８４ａ、１８４ｂを選択および制御し、ＵＰＦ１８４ａ、１８４ｂを通したトラフィックのルーティングを構成することができる。ＳＭＦ１８３ａ、１８３ｂは、ＵＥ  ＩＰアドレスの管理および割り当てを行うこと、ＰＤＵセッションを管理すること、ポリシ実施およびＱｏＳを制御すること、ならびにダウンリンクデータ通知を提供することなど、他の機能を実行することができる。ＰＤＵセッションタイプは、ＩＰベース、非ＩＰベース、およびイーサネットベースなどであることができる。
【００５６】
ＵＰＦ１８４ａ、１８４ｂは、Ｎ３インターフェースを介して、ＲＡＮ１１３内のｇＮＢ１８０ａ、１８０ｂ、１８０ｃのうちの１つまたは複数に接続することができ、それらは、インターネット１１０など、パケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を容易にすることができる。ＵＰＦ１８４ａ、１８４ｂは、パケットをルーティングおよび転送すること、ユーザプレーンポリシを実施すること、マルチホーミングＰＤＵセッションをサポートすること、ユーザプレーンＱｏＳを処理すること、ダウンリンクパケットをバッファすること、ならびにモビリティアンカリングを提供することなど、他の機能を実行することができる。
【００５７】
ＣＮ１１５は、他のネットワークとの通信を容易にすることができる。例えば、ＣＮ１１５は、ＣＮ１１５とＰＳＴＮ１０８との間のインターフェースとしての役割を果たすＩＰゲートウェイ（例えば、ＩＰマルチメディアサブシステム（ＩＭＳ）サーバ）を含むことができ、またはそれと通信することができる。加えて、ＣＮ１１５は、他のネットワーク１１２へのアクセスをＷＴＲＵ１０２ａ、１０２ｂ、１０２ｃに提供することができ、他のネットワーク１１２は、他のサービスプロバイダによって所有および／または運営される他の有線および／または無線ネットワークを含むことができる。一実施形態においては、ＷＴＲＵ１０２ａ、１０２ｂ、１０２ｃは、ＵＰＦ１８４ａ、１８４ｂへのＮ３インターフェース、およびＵＰＦ１８４ａ、１８４ｂとＤＮ１８５ａ、１８５ｂとの間のＮ６インターフェースを介して、ＵＰＦ１８４ａ、１８４ｂを通して、ローカルデータネットワーク（ＤＮ）１８５ａ、１８５ｂに接続することができる。
【００５８】
図１Ａ〜図１Ｄ、および図１Ａ〜図１Ｄについての対応する説明に鑑みて、ＷＴＲＵ１０２ａ〜ｄ、基地局１１４ａ〜ｂ、ｅノードＢ１６０ａ〜ｃ、ＭＭＥ１６２、ＳＧＷ１６４、ＰＧＷ１６６、ｇＮＢ１８０ａ〜ｃ、ＡＭＦ１８２ａ〜ｂ、ＵＰＦ１８４ａ〜ｂ、ＳＭＦ１８３ａ〜ｂ、ＤＮ１８５ａ〜ｂ、および／または本明細書において説明される他の任意のデバイスのうちの１つまたは複数に関する、本明細書において説明される機能の１つもしくは複数またはすべては、１つまたは複数のエミュレーションデバイス（図示されず）によって実行することができる。エミュレーションデバイスは、本明細書において説明される機能の１つもしくは複数またはすべてをエミュレートするように構成された、１つまたは複数のデバイスであることができる。例えば、エミュレーションデバイスは、他のデバイスをテストするために、ならびに／またはネットワークおよび／もしくはＷＴＲＵ機能をシミュレートするために、使用することができる。
【００５９】
エミュレーションデバイスは、実験室環境において、および／またはオペレータネットワーク環境において、他のデバイスの１つまたは複数のテストを実施するように設計することができる。例えば、１つまたは複数のエミュレーションデバイスは、通信ネットワーク内の他のデバイスをテストするために、有線および／または無線通信ネットワークの一部として、完全または部分的に実施および／または展開されながら、１つもしくは複数またはすべての機能を実行することができる。１つまたは複数のエミュレーションデバイスは、有線および／または無線通信ネットワークの一部として、一時的に実施／展開されながら、１つもしくは複数またはすべての機能を実行することができる。エミュレーションデバイスは、テストを行う目的で、別のデバイスに直接的に結合することができ、および／またはオーバザエア無線通信を使用してテストを実行することができる。
【００６０】
１つまたは複数のエミュレーションデバイスは、有線および／または無線通信ネットワークの一部として実施／展開されずに、すべての機能を含む１つまたは複数の機能を実行することができる。例えば、エミュレーションデバイスは、１つまたは複数の構成要素のテストを実施するために、テスト実験室ならびに／または展開されていない（例えば、テスト）有線および／もしくは無線通信ネットワークにおける、テストシナリオにおいて利用することができる。１つまたは複数のエミュレーションデバイスは、テスト機器であることができる。データを送信および／または受信するために、直接ＲＦ結合、および／または（例えば、１つもしくは複数のアンテナを含むことができる）ＲＦ回路を介した無線通信を、エミュレーションデバイスによって使用することができる。
【００６１】
上で説明されたように、第５世代（５Ｇ）エアインターフェースと、それのニューラジオ（ＮＲ）アクセス技術は、改善されたブロードバンド性能（ＩＢＢ）、産業用制御および通信（ＩＣＣ）、および車両アプリケーション（Ｖ２Ｘ）、ならびに大規模マシンタイプコミュニケーション（ｍＭＴＣ）などの使用事例を可能にすることを期待されている。
【００６２】
いくつかのそのような使用事例は、超信頼性低伝送遅延（ＵＲＬＬＣ）通信に対するサポートを必要とすることがある。１ｍｓのＲＴＴほどの小ささのエアインターフェース遅延は、例えば、１００μｓから２５０μｓの間のＴＴＩに対するサポートを必要とすることがある。いくつかのそのような使用事例は、超低のアクセス遅延（例えば、最初のシステムアクセスから、最初のユーザプレーンデータユニットの送信が完了するまでの時間）を必要とすることがある。例えば、いくつかのＩＣＣおよびＶ２Ｘの使用事例は、１０ｍｓ未満のエンドツーエンド（ｅ２ｅ）遅延を必要とすることがある。
【００６３】
さらに、いくつかのそのような使用事例は、超信頼性伝送（ＵＲＣ）に対するサポートを必要とすることがある。伝送信頼性は、レガシＬＴＥシステムを用いた場合に可能なものよりも、はるかに良好である必要があることがある。例えば、可能な目標は、９９．９９９％の伝送成功およびサービス利用可能性に近いことができる。別の検討事項は、０〜５００ｋｍ／ｈの範囲内のモビリティスピードに対するサポートであることができる。いくつかのＩＣＣおよびＶ２Ｘの使用事例は、１０ｅ−６未満のパケットロス率を必要とすることがある。
【００６４】
いくつかの使用事例は、例えば、狭帯域動作を含む、ＭＴＣ動作に対するサポートを必要とすることがある。ＮＲエアインターフェースは、（例えば、２００ＫＨｚ未満を使用する）狭帯域動作、拡大されたバッテリ寿命（例えば、最大１５年の自律性）、ならびに数秒から数時間のアクセス遅延を伴う（例えば、１〜１００ｋｂｐｓの範囲内の低データレートの）少量および低頻度データ送信のための最小の通信オーバヘッドを効率的にサポートすることができる。
【００６５】
ＬＴＥおよびＩＥＥＥ８０２．１１の両方における、データ送信のための基本信号フォーマットとして、直交周波数分割多重（ＯＦＤＭ）を使用することができる。ＯＦＤＭは、スペクトルを複数の並列直交サブバンドに効率的に分割することができる。各サブキャリアは、時間領域において、長方形窓を使用して整形され、周波数領域において、ｓｉｎｃ形状のサブキャリアをもたらす。ＯＦＤＭＡは、信号間の直交性を維持するために、またキャリア間干渉を最小化するために、周波数同期、およびサイクリックプレフィックスの持続時間内におけるアップリンクタイミングアライメントの厳密な管理を必要とすることがある。この厳密な同期は、ＷＴＲＵが複数のアクセスポイントに同時に接続されるシステムにおいて、あまり適していないこともある。隣接バンドのスペクトル放射要件に準拠するように、アップリンク送信に追加の電力削減を適用することもできる。これは、ＷＴＲＵの送信のための、断片化されたスペクトルのアグリゲーションの存在下において、特に関連することがある。
【００６６】
いくつかのケースにおいては、従来のサイクリックプレフィックス（ＣＰ）ＯＦＤＭ（ＣＰ−ＯＦＤＭ）の短所は、例えば、アグリゲーションを必要としない大量の連続スペクトルを使用して動作するときは、実施のためのより厳格な無線フロントエンド要件によって対処することができる。ＣＰベースのＯＦＤＭ送信スキームは、レガシシステムのそれと類似した（例えば、パイロット信号密度およびロケーションが変更された）、５Ｇのためのダウンリンク物理層をもたらすこともできる。
【００６７】
フレキシブル５Ｇネットワーク（５ｇＦＬＥＸ）のために、他の波形候補を検討することができるが、しかしながら、従来のＯＦＤＭは、例えば、ダウンリンク送信スキームについての、５Ｇシステムのための可能な候補であり続ける。いくつかのケースにおいては、５ｇＦＬＥＸ無線アクセスは、異なる特性を有する異なる周波数帯域における展開を可能にする、非常に高程度のスペクトル柔軟性によって特徴付けることができる。５ｇＦＬＥＸは、異なるデュプレックス構成、ならびに同じまたは異なるバンドにおける連続および不連続スペクトル割り当てを含む、異なるおよび／または可変サイズの利用可能なスペクトルを含むことができる。５ｇＦＬＥＸは、複数のＴＴＩ長に対するサポート、および／または非同期送信に対するサポートなど、可変タイミング態様もサポートできる。
【００６８】
５ｇＦＬＥＸにおいては、ＴＤＤおよびＦＤＤ二重化スキームの両方をサポートすることができる。ＦＤＤ動作については、スペクトルアグリゲーションを使用して、補助的なダウンリンク動作をサポートすることができる。ＦＤＤ動作は、全二重ＦＤＤ操作および半二重ＦＤＤ動作の両方をサポートすることができる。ＴＤＤ動作については、ＤＬ／ＵＬ割り当ては、動的であることができる（すなわち、それは、固定されたＤＬ／ＵＬフレーム構成に基づかないことがある）。例えば、ＤＬまたはＵＬ送信間隔の長さは、送信機会ごとに設定することができる。
【００６９】
いくつかのケースにおいては、（例えば、６ＧＨｚよりも大きい）より高い周波数における、増加した経路損失は、ビームフォーミングを使用して、補償することができる。いくつかのケースにおいては、複数の（例えば、相対的により多数の）アンテナ要素を使用して、より高いビームフォーミング利得を達成することができる。
【００７０】
いくつかのケースにおいては、アナログおよび／またはハイブリッドビームフォーミングを使用して、（例えば、ＲＦチェーンの数を減らすことによって）実施コストを低減させることができる。アナログおよび／またはハイブリッドビームは、時間において多重化することができる。ビームフォーミングは、セルワイドなカバレージを提供するために、同期、ＰＢＣＨ、および制御チャネルのうちの１つまたは複数に適用できる。ビームスイープという用語は、時間および／または周波数および／または空間において多重化された、ビームフォーミングされたチャネルの送信および／または受信を指すことができる。
【００７１】
参照信号という用語は、本明細書において説明される目的のうちの１つまたは複数のために、ＷＴＲＵによって受信および／または送信することができる、任意の信号、プリアンブル、またはシステムシグネチャを指すことができる。ＤＬおよびＵＬにおいて、ビーム管理のために、異なる参照信号を定義することができる。例えば、ＤＬビーム管理は、チャネル状態情報参照信号（ＣＳＩ−ＲＳ）、復調参照信号（ＤＭＲＳ）、同期信号（ＳＳ）、または他の適切な信号を使用することができる。ＵＬビーム管理は、サウンディング参照信号（ＳＲＳ）、ＤＭＲＳ、ランダムアクセスチャネル（ＲＡＣＨ）と関連付けられたプリアンブル送信、または他の適切な信号を使用することができる。
【００７２】
暗黙的または明示的に条件と関連付けられた再構成メッセージ（すなわち、条件付き再構成）を受信した後、ＷＴＲＵは、再構成を検証および記憶し、条件（すなわち、トリガ条件）を監視することを開始し、トリガ条件が満足されたとき、再構成を適用することができる。例えば、ＷＴＲＵは、モビリティ情報要素および条件付きモビリティ情報要素のうちの１つまたは複数を有する、無線リソース制御（ＲＲＣ）接続再構成を受信することができる。ＷＴＲＵは、情報要素のうちの１つを、候補ターゲットセルごとに１つ、受信することができる。ＷＴＲＵは、複数のターゲットセルと関連付けられた複数の条件付き再構成を用いるように構成することができる。条件付き再構成は、条件付きハンドオーバ（ＣＨＯ）と呼ばれることもあり、これらの用語は、本明細書においては、交換可能に使用される。
【００７３】
再構成送信を再構成の適用から切り離すことは、制御信号の信頼性を改善することができる。例えば、制御シグナリングは、無線リンクの品質がより良好であるときに、送信することができる。この手法の別の利点は、障害イベント（例えば、測定）と、訂正アクション（例えば、モビリティを伴う再構成）との間の、より短い反応時間であることができる。レガシ方法においては、ＷＴＲＵは、最初に、障害イベントを検出し、イベントをネットワークに報告し、ネットワーク応答を待機し、ネットワーク応答を処理して、訂正アクションを起こすことが必要であることがある。そのような遅れは、急速に劣化する無線条件下において、正しい時間におけるモビリティ再構成の実行を妨げることがある。対照的に、条件付き再構成は、ＷＴＲＵが、制御された自律性から利益を得ることを容易にすることができる。そのようなケースにおいては、ネットワークは、障害イベントをどのように検出すべきか、およびどの訂正アクションを実行すべきかを構成することができ、一方、ＷＴＲＵは、いつ訂正アクションを実行すべきかを決定することができる。これは、より速い反応時間を可能にすることができ、それは、参照信号のまばらな送信および／または測定を容易にすることができ、ネットワークおよび／またはＷＴＲＵにおける電力節約を増やすことができる。
【００７４】
セルは、補助的アップリンク（ＳＵＬ）を用いるように構成することができる。ＳＵＬは、ＷＴＲＵがｇＮＢから遠く離れている場合、ＵＬをより低いバンドに切り換えることによって、高周波数で動作するＷＴＲＵのカバレージを拡大することができる。いくつかのケースにおいては、ＳＵＬは、２つの別々のＵＬキャリアと関連付けられたＤＬキャリアを有する、セルを含むことができる。いくつかの実施においては、別々のＵＬキャリアは、（例えば、ＤＬキャリアも配置される）高い周波数バンドにあることができる通常のＵＬ（ＲＵＬ）と、より低い周波数バンドにあることができるＳＵＬとを含むことができる。
【００７５】
ＳＵＬは、（例えば、ＮＲスタンドアロンモードにおける）プライマリセル（ＰＣｅｌｌ）と、ＮＲ−ＮＲ  ＤＣにおける、またはＬＴＥとＮＲとの間のデュアルコネクティビティ（すなわち、非スタンドアロン（ＮＳＡ）モードもしくはＮＲ  ＤＣ（ＥＮ−ＤＣ））におけるＰＳＣｅｌｌの両方のために構成することができる。ＷＴＲＵは、ＲＵＬまたはＳＵＬのどちらかを使用して、セルへの初期アクセスを実行することができる。ＳＵＬ構成は、セルによって、最小ＳＩでブロードキャストすることができる。サービングセルのＤＬ品質が、しきい値を下回る場合、ＷＴＲＵは、初期アクセスのために、ＳＵＬを選択することができる。
【００７６】
いくつかのケースにおいては、ＷＴＲＵが、ＲＲＣ接続されている（例えば、ＲＲＣ＿ＣＯＮＮＥＣＴＥＤ状態にある）場合、ＳＵＬについて、複数の別々の動作モードが、可能である。例示的な動作モードにおいては、ＲＲＣは、一方は完全ＵＬ構成であり、他方はＳＲＳ構成である、２つのＵＬを用いるように、ＷＴＲＵを構成することができる。完全ＵＬ構成が、キャリアに提供される場合、ＷＴＲＵは、ＵＬ制御、ＵＬデータ、ＳＲＳ、ＰＲＡＣＨなどを実行することができる。ＳＲＳ構成だけが、キャリアに提供される場合、ＷＴＲＵは、ＳＲＳ送信だけを実行することができる。この例示的な動作モードにおいては、ＷＴＲＵは、アップリンクにおけるすべての制御およびデータ送信のために、完全に構成されたＵＬ構成を使用することができ、他の完全には構成されていないアップリンク上において、ＳＲＳを送信することができる。異なるキャリアに完全ＵＬ構成を提供するために、ＲＲＣ再構成を使用することができ、異なるＵＬ間においてＵＬデータ間の切り換えを行うために、ＲＲＣ再構成を使用することができる。別の例示的な動作モードにおいては、ＲＲＣは、ともに完全に構成されたＵＬである、２つのＵＬを構成することができる。いくつかの実施においては、シグナリング（例えば、ＭＡＣ  ＣＥ、またはＤＣＩ）は、ＷＴＲＵが、２つのＵＬ構成間の切り換えを行うことを可能にすることができる。別の例示的な動作モードにおいては、ＲＲＣは、ともに使用される、２つのＵＬを構成することができる。この動作モードは、単一のサービングセルのためのＰＵＳＣＨ送信が、両方のＵＬのために同時に発生することができないことを仮定する。
【００７７】
上で説明されたように、ＮＲインターフェースは、様々なサービス要件を有する広範囲の使用事例をサポートすることができる。例えば、ｍＭＴＣの使用事例は、低オーバヘッドおよび低データレートの電力効率の良いサービスを必要とすることがある。ＵＲＬＬＣの使用事例は、非常に高い信頼性必要とすることがある。拡張モバイルブロードバンド（ｅＭＢＢ）の使用事例は、高いデータレート必要とすることがある。ＮＲインターフェースは、低電力、低帯域幅ＷＴＲＵ、非常に広い帯域幅（例えば、８０Ｍｈｚ）送信が可能なＷＴＲＵ、および高周波数（例えば、６Ｇｈｚ以上）を使用するＷＴＲＵなど、多様なＷＴＲＵ能力をサポートすることができる。そのような使用事例においては、ＷＴＲＵは、様々なモビリティシナリオ（例えば、静止／固定、高速列車など）にあることがある。ＮＲインターフェースは、多様な展開シナリオ（例えば、スタンドアロン、異なるエアインターフェースから支援を受ける非スタンドアロン、集中化、仮想化、および理想的／非理想的なバックホール上における配信）に適合されるほど十分に柔軟性な、アーキテクチャを必要とすることがある。
【００７８】
そのようなシナリオにおいては、頻繁なハンドオーバ失敗および／または無線リンク障害が、発生することがある。例えば、そのような失敗は、短い時間期間内において急速に低下したサービングセルの品質に起因することがある。これらの問題を克服し、制御シグナリングの信頼性を向上させることができる、方法およびデバイスが、本明細書において説明される。
【００７９】
ＷＴＲＵは、サービングセルにおける動作に影響する重大なエラー状態から回復するために、再確立手順を実行することができる。しかしながら、再確立手順は、増加する中断時間およびデータ損失というコストを伴うことがある。重大なエラーシナリオにおいて、許容可能な中断時間を容易にするための、強化された再確立手順を提供することができる。
【００８０】
図２は、モビリティシグナリング問題と関連付けられた、ハンドオーバ失敗原因を例示する図である。ハンドオーバコマンド（ＨＯＣ）が、ＷＴＲＵによって受信される前に、無線リンク状態が、ソースセル内において急速に悪化することがあり、無線リンク障害（ＲＬＦ）が、宣言されることがある。ＷＴＲＵは、ターゲットセルに向かって再確立を実行することができる。１つまたは複数の理由のために、ＨＯＣが、時間どおりに受信されないことがある。ＷＴＲＵは、アップリンク無線リンク劣化のせいで、測定報告を十分に早く（例えば、適切な隣接者セルが利用可能である間に）、送信していないことがある。ＷＴＲＵは、ダウンリンク無線リンク劣化のせいで、ハンドオーバコマンドを受信していないことがある。ＲＬＦを宣言する前、ソースセルとのリンクがまだ障害を起こしていない間に、ＷＴＲＵが、適切なターゲットセルについてのハンドオーバコマンドを受信した場合、再確立およびサービス中断を回避することができる。
【００８１】
図２は、モビリティシグナリング問題と関連付けられた、ハンドオーバ失敗ケースを例示する図である。ＷＴＲＵの測定プロセス２００は、測定イベント２０５がＷＴＲＵによって検出されたときに、開始する。（例えば、ＷＴＲＵのタイマによって追跡される）時間間隔２１０の後、ＷＴＲＵは、測定報告２１５をネットワークに（例えば、ｇＮＢに、またはｇＮＢを介して）送信する。測定報告がネットワークに送信された後、ＷＴＲＵは、ネットワークがハンドオーバコマンド２２５を準備する間、時間期間２２０にわたって待機する。ＷＴＲＵが、ハンドオーバコマンド２２５を受信した後、それは、ハンドオーバコマンド２２５に基づいて、ハンドオーバを実行する。ハンドオーバは、実行時間２３０を要する。ＷＴＲＵの観点からは、ハンドオーバ完了２３５は、例えば、ハンドオーバのターゲットセルにおいて、ＲＡＣＨが完了したときに、発生することができる。
【００８２】
例示的なＲＬＦ２４０は、ＷＴＲＵが測定報告２１５を送信することができる前に、ＲＬＦが発生する、例示的なハンドオーバ失敗ケースを例示している。この例においては、ＷＴＲＵは、時間間隔２４５の間に、（例えば、同期ずれインジケーションの最大数が下位層から受信されたとき）無線リンク問題を検出する。無線リンク問題の検出２５０の後、ＷＴＲＵは、ＲＬＦ  ２６０を宣言する前に、（例えば、過渡的問題を除外するため、例えば、Ｔ３１０などのＲＬＦタイマを用いて追跡される）時間間隔２５５にわたって待機する。ＷＴＲＵは、それが測定報告２１５を送信するよりも（時間Ｘ）前に、ネットワークとの無線リンクが失敗したと決定したので、ＷＴＲＵは、測定報告２１５を送信せず、代わりに（例えば、Ｔ３１１などのタイマを用いて追跡される）時間間隔２６５の間に、それのネットワークとの接続を再確立しようと試みる。ＷＴＲＵが、時間間隔２６５内において、それの接続を再確立することができない場合、それは、アイドル状態２７０に入る。
【００８３】
例示的なＲＬＦ２７５は、ＷＴＲＵが測定報告２１５を送信した後、それがハンドオーバコマンド２２５を受信する前に、ＲＬＦが発生する、例示的なハンドオーバ失敗ケースを例示している。この例においては、ＷＴＲＵは、時間間隔２８０の間に、（例えば、同期ずれインジケーションの最大数が下位層から受信されたとき）無線リンク問題を検出する。無線リンク問題の検出２８５の後、ＷＴＲＵは、ＲＬＦ２９５を宣言する前に、（例えば、過渡的問題を除外するために、例えば、Ｔ３１０などのＲＬＦタイマを用いて追跡される）時間間隔２９０にわたって待機する。ＷＴＲＵがハンドオーバコマンド２２５を受信することができるよりも（時間Ｙ）前に、ネットワークとの無線リンクが失敗したので、ＷＴＲＵは、ハンドオーバを実行せず、代わりに、（例えば、Ｔ３１１などのタイマを用いて追跡される）時間間隔２９６の間に、それのネットワークとの接続を再確立しようと試みる。ＷＴＲＵが、時間間隔２９６内において、それの接続を再確立することができない場合、それは、アイドル状態２９７に入る。
【００８４】
レガシＲＲＣ再確立は、ＷＴＲＵにおけるアクティブなサービスに対して、増加した遅延および中断時間をもたらすことがある。ＲＲＣ再確立手順は、無線リンク障害（例えば、ＲＬＦタイマ（例えば、Ｔ３１０）の満了）、ランダムアクセス障害、無線リンク制御（ＲＬＣ）再送の最大数、インテグリティチェック失敗など、１つまたは複数の条件（例えば、重大なエラー条件）に基づいてトリガされる、ＷＴＲＵベースのモビリティを含むことができる。しかしながら、ＲＲＣ再確立手順の開始は、データ無線ベアラ（ＤＲＢ）の一時停止をもたらすことがある。いくつかの実施形態においては、ターゲットセルに対する再確立手順の完了後、ＷＴＲＵがネットワークから第１のＲＲＣ再構成を受信するまで、ＤＲＢは、再開しないことがある。ＤＲＢの一時停止から再開までの中断時間は、かなり長いことがあり、それが、データ損失をもたらすことがある。
【００８５】
いくつかの実施形態においては、ＷＴＲＵは、障害イベントの関数として、再確立手順を開始すべきか、それとも条件付き再構成手順を開始すべきかを決定することができる。ＷＴＲＵは、サービングセルにおける動作に対して障害をもたらす、様々なイベントを監視するように構成することができる。障害イベントは、例えば、無線リンクモニタリング（ＲＬＭ）プロセスからの下位層問題インジケーション（例えば、ＲＬＦタイマ（例えば、Ｔ３１０）満了）、ランダムアクセス問題インジケーション、最大ＲＬＣ再送に達したことを示すインジケーション、ビーム回復に失敗した、および／または候補ビームが見つからないことを示すインジケーション、再構成失敗（例えば、ＷＴＲＵが受信された再構成コマンドに従うことができない）、インテグリティチェック失敗、ハンドオーバ失敗などのうちの１つまたは複数を含むことができる。ＷＴＲＵは、そのような障害イベントの１つまたは複数を検出した後、再確立手順を実行するか、それとも条件付き再構成手順を実行するかを決定するように構成することができる。決定は、特定の障害イベントまたは障害イベントのタイプの関数として、行うことができる。
【００８６】
いくつかの実施形態においては、ＷＴＲＵは、ＷＴＲＵが、いずれかのターゲットセルについて条件付き再構成を用いるように構成されており（すなわち、適切なターゲットセルが存在し−条件付き再構成がそれについて存在する、少なくとも１つターゲットセルがあり）、ターゲットセルが、セル選択基準を満足する（例えば、ターゲットセルの品質が、事前定義されたしきい値を上回る）場合、障害イベントの第１のサブセットを検出した後、条件付き再構成手順を実行することができる。障害イベントの第１のサブセットは、ＲＬＭプロセスからの下位層問題のインジケーション（例えば、Ｔ３１０満了）、ランダムアクセス問題のインジケーション、最大ＲＬＣ再送に達したことを示すインジケーション、ビーム回復に失敗した、および／または候補ビームが見つからないことを示すインジケーションなどのうちの１つまたは複数を含むことができる。
【００８７】
いくつかの実施形態においては、ＷＴＲＵは、障害イベントの第２のサブセットを検出した後、再確立手順を実行することができる。障害イベントの第２のサブセットは、再構成失敗（例えば、ＷＴＲＵがハンドオーバコマンドを受信したが、ハンドオーバコマンドの内容に従うことができない）、インテグリティチェック失敗、およびハンドオーバ失敗のうちの１つまたは複数を含むことができる。ＷＴＲＵは、障害イベントの第１のセットを検出した後、ＷＴＲＵが、いずれのターゲットセルについても条件付き再構成を用いるように構成されていない（すなわち、適切なターゲットセルが存在しない）場合、または条件付き再構成と関連付けられたターゲットセルが、セル選択基準を満足しないときも、再確立手順を実行することができる。
【００８８】
いくつかの実施形態においては、ＷＴＲＵは、条件付き再構成がそれについて存在するセルに対して、再確立がトリガされた（すなわち、ＷＴＲＵが、そのセルをターゲットとして用いる条件付き再構成を用いるように構成されている）場合、ハンドオーバ手順を開始することができる。ＷＴＲＵは、１つまたは複数のターゲットセルに対する条件付き再構成を用いるように構成することができる。ＷＴＲＵが、ターゲットセルと関連付けられたトリガ条件を監視している間、上で説明された障害イベントの第１または第２のセットなどの障害イベントを、ＷＴＲＵによって検出することができる。ＷＴＲＵは、検出された障害イベントに基づいて、再確立手順をトリガすることができる。
【００８９】
再確立手順は、適切なセルを選択するために、セル選択を実行することを含むことができる。一例においては、セル選択の結果として、ＷＴＲＵは、条件付き再構成がそれについて存在する（例えば、ＷＴＲＵが、満了していないセルについての条件付き再構成を受信した）セルを選択することができる。ＷＴＲＵが、条件付き再構成がそれについて存在するセルを選択した場合、ＷＴＲＵは、そのセルに対してトリガ条件が満足されたと仮定することができる（すなわち、ＷＴＲＵは、再確立手順の代わりに、条件付きハンドオーバをトリガすることができる）。別の例においては、セル選択の結果として、ＷＴＲＵが、条件付き再構成がそれについて存在しない（例えば、セルについてのすべての条件付き再構成が満了している、または条件付き再構成がセルについて構成されていない）セルを選択した場合、ＷＴＲＵは、再確立手順をトリガすることができる。条件付きハンドオーバのケースにおいては、ＷＴＲＵが再構成完了を送信した後、ＤＲＢを再開することができるので、このスキームは、いくつかのケースにおいては、中断時間を低減させるのに役立つことがある。加えて、ＷＴＲＵは、遅延／中断時間をさらに低減させる、条件付き再構成のための専用ランダムアクセスリソースを用いるように構成することができる。
【００９０】
セル選択手順の間、ＷＴＲＵは、条件付きハンドオーバのために構成された（すなわち、ＷＴＲＵが、セルをターゲットセルとして示す、条件付きハンドオーバ構成を受信した）セルを優先することができる。例えば、ＷＴＲＵは、条件付き再構成がそれについて存在する（すなわち、ＷＴＲＵが、セルをターゲットセルとして示す、条件付きハンドオーバ構成を受信した）ターゲットセルに対して、正のオフセット（すなわち、セル選択基準を評価するときの正のバイアス、例えば、ＲＳＲＰまたはＲＳＲＱ測定に対する正のバイアス）を追加するように構成することができる。あるいは、ＷＴＲＵは、条件付き再構成がそれについて存在するターゲットセルを、ターゲットセルの品質（例えば、ＲＳＲＰまたはＲＳＲＱ値）が事前定義されたしきい値を上回る場合、選択するように構成することができる。
【００９１】
ＷＴＲＵは、２つ以上のターゲットセルについての条件付き再構成を用いるように構成することができる。ＷＴＲＵは、複数のターゲットセルの中のターゲットセルを優先するためのさらなるルールを用いるように構成することができる。例えば、ＷＴＲＵは、最も高い優先順位（または相対的により高い優先順位）を有するターゲットセルを好むことができる。いくつかの実施形態においては、優先順位は、条件付き再構成の一部として、ネットワークによって明示的に構成することができる。いくつかの実施形態においては、優先順位は、それのオフセット／しきい値が、サービングセルと比較して、より小さいターゲットセルなど、トリガ条件に基づいて、ＷＴＲＵによって暗黙的に決定することができる。例えば、ＷＴＲＵは、サービングセルのそれを、しきい値量だけ、または最大量だけ超える、ＲＳＲＰまたはＲＳＲＱ値を有する、複数のターゲットセルのうちのいずれかへの条件付きハンドオーバをトリガするように構成することができる。ＷＴＲＵは、専用ランダムアクセスプリアンブルがそれに割り当てられた、ターゲットセルを好むことができる。ＷＴＲＵは、ＳＵＬ構成を用いるターゲットセルを好むことができる。ＷＴＲＵは、直近に構成された１つもしくは複数のターゲットセル、または最も値が高い有効性タイマを有する（例えば、最も残りの長い有効性を有する）ターゲットセルを好むことができる。
【００９２】
上で説明されたように、条件付きハンドオーバ（ＣＨＯ）、または強化された再確立手順は、下位層問題の検出によって、トリガすることができる。ＣＨＯをトリガする下位層問題は、例えば、以下のイベントのうちの１つまたは複数と、すなわち、Ｔ３１０満了、Ｔ３００、Ｔ３０１、Ｔ３０４、Ｔ３１１が動作していない間の、ＭＡＣからのＲＡアクセス問題インジケーション、または最大再送に達したことを示すＲＬＣからのインジケーションのうちの１つまたは複数と関連付けることができる。Ｔ３００は、動作している間、ＷＴＲＵが進行中のＲＲＣ接続セットアップ手順に携わっていることを示す、タイマである。Ｔ３０１は、動作している間、ＷＴＲＵが再確立応答を待機していることを示す、タイマである。Ｔ３０４は、動作している間、ＷＴＲＵが進行中のハンドオーバ手順に携わっていることを示す、タイマである。Ｔ３１１は、動作している間、ＷＴＲＵが進行中の再確立手順に携わっていることを示す、タイマである。
【００９３】
ＷＴＲＵは、ＲＬＦをトリガすることができる、タイマならびに／もしくは無線リンク障害（ＲＬＦ）関連のパラメータ値（例えば、送信の最大数、およびＮ３ｘｘ値、ここで、Ｎ３１０は、下位層からの同期ずれインジケーションの数を追跡するカウンタであり、Ｎ３１１は、下位層からの同期中インジケーションの数を追跡するカウンタである。Ｎ３１０がしきい値を超えた場合、Ｔ３１０が開始され、Ｎ３１１がしきい値を超えた場合、Ｔ３１０が停止する）、またはそのオフセットを用いるように構成することができる。パラメータは、監視機能（例えば、ＲＬＭ、ＨＡＲＱなど）において一般に使用されるパラメータと同じである、またはそれに類似していることができる。例えば、ＷＴＲＵは、ＷＴＲＵがそうしなければ無線リンク障害が発生したと決定する前に、条件付きモビリティまたは強化された再確立手順をトリガすることができる値を用いるように構成することができる。いくつかの実施においては、これは、ＲＬＦおよび再確立のための手順をトリガすることを回避することができる。
【００９４】
下位層問題の検出に基づいたＣＨＯトリガリングは、ＳＵＬ構成に依存することができる。例えば、ＣＨＯを用いるように構成されたＷＴＲＵが、サービングセルにおいてＳＵＬを用いるように構成される場合、ＷＴＲＵは、Ｔ３１０が満了した場合だけ、ＣＨＯを実行することができる。さもなければ、いずれかの原因（例えば、ＲＬＭ問題を示すインジケーション、ＨＡＲＱ再送の最大数、ＲＡＣＨ障害など）と関連付けられたＲＬＦのためのトリガが、発生した場合、ＷＴＲＵは、ＣＨＯを実行することができる。例えば、ＷＴＲＵは、ビーム障害回復の発生をトリガと見なすことができる。
【００９５】
ＷＴＲＵが、ＳＵＬを用いるように構成され、ＲＵＬ上におけるＲＡ手順の試みに成功しなかった場合、ＷＴＲＵは、ランダムアクセス問題を高位層に示すことができる。このインジケーションが、（例えば、受信時に）ＲＲＣによって受信された後、ＷＴＲＵは、タイマを開始することができ、測定されたＤＬ参照信号受信電力（ＲＳＲＰ）がしきい値を下回る場合、ＳＵＬ上においてＲＡ手順を実行することができる。ＳＵＬ上におけるＲＡ手順が、成功した場合、ＷＴＲＵは、インジケーションをＲＲＣ層に送信することができる。ＷＴＲＵは、ＳＵＬ上における成功したＲＡ手順を示す、ＭＡＣ層からのインジケーションの受信時または受信後に、タイマを停止することができる。このタイマの満了時または満了後に、ＷＴＲＵは、ＣＨＯを実行することができる。
【００９６】
ＷＴＲＵが、ＳＵＬを用いるように構成される場合、ＷＴＲＵは、ＲＬＦがトリガされたとき、再確立を開始する代わりに、ＳＵＬリンクを通して、マスタセルグループ無線リンク障害（ＭＣＧ−ＲＬＦ）情報を報告することができる。ＷＴＲＵは、ＣＨＯを有する最良のセル上において、ハンドオーバをトリガすることができる。ＭＣＧ−ＲＬＦ報告は、ＣＨＯをトリガしたターゲットセルの最新の測定、またはこれらの中の最良のセルを含むことができる。ソースｇＮＢは、これらの結果をターゲットセルに送信することができる。ターゲットセルは、構成されたしきい値よりも低いＲＳＲＰを有するビーム、およびＷＴＲＵがＲＡ手順をそこで試みる可能性が最も高いビームを示すインジケーションと関連付けられた、競合なしのランダムアクセス（ＣＦＲＡ）リソースを解放することができる。ターゲットは、最も高い報告された測定結果を有するビーム（例えば、ＣＳＩ−ＲＳ構成）を用いるように、ＷＴＲＵを構成することもできる。
【００９７】
ターゲットセルへの成功したハンドオーバ完了後、ターゲットセルは、成功したハンドオーバ完了を示すインジケーションを、ソースセルに送信することができる。このインジケーションに基づいて、ソースセルは、このＷＴＲＵと関連付けられた構成（例えば、専用ＲＡＣＨリソース）を解放するように、他の準備された候補セルに通知することができる。ＣＨＯは、ＲＲＣ＿ＣＯＮＮＥＣＴＥＤモードにおいて、下位層問題の検出に基づいて、トリガすることができる。レイヤ１問題検出のための新しいタイマ、またはＴ３１０に対するオフセットを設定して、ＲＬＦがトリガされる前、それの満了時に、既存のＣＨＯコマンドに基づいて、ハンドオーバをトリガすることを容易にすることができる。ビーム障害回復タイマよりも小さい、ＭＡＣにおける新しいタイマ、またはビーム障害回復タイマに対するオフセットを設定して、上位層へのＴ３１０を示す満了のインジケーションの前に、既存のＣＨＯコマンドに基づいて、ハンドオーバをトリガすることができる。例えば、ｒａ−ＰｒｅａｍｂｌｅＴｘ−Ｍａｘよりも小さい、プリアンブル再送の最大数、またはｒａ−ＰｒｅａｍｂｌｅＴｘ−Ｍａｘに対するオフセットを設定して、ＲＬＦを宣言する前に、ハンドオーバをトリガすることができる。Ｎ３１３より小さい、下位層からの連続した同期ずれインジケーションの数、またはＮ３１３に対するオフセットを設定して、ＲＬＦが宣言される前に、既存のＣＨＯコマンドに基づいて、ハンドオーバをトリガすることができる。
【００９８】
いくつかの実施形態においては、ＣＨＯトリガは、複数の測定量と関連付けられる。例えば、ＷＴＲＵは、特定の測定量と関連付けられたＣＨＯトリガ条件を用いるように構成することができる。いくつかの例においては、ＷＴＲＵは、２つ以上の測定量を含むトリガ条件を用いるように構成することができる。１つまたは複数の測定量は、例えば、ＲＳＲＰ、参照信号受信品質（ＲＳＲＱ）、および／または信号対干渉雑音比（ＳＩＮＲ）を含むことができる。２つ以上の測定量を含むトリガ条件の例は、候補セルの第１の測定量が、サービングセルまたは第１の絶対しきい値よりも良好であること、および候補セルの第２の測定量が、サービングセルまたは第２の絶対しきい値よりも良好であることの両方を必要とすることがある。第１および第２の測定量の異なる組み合わせが、可能であることができる。例えば、ＲＳＲＰとＲＳＲＱ、ＲＳＲＰとＳＩＮＲ、ＲＳＲＱとＳＩＮＲなどである。いくつかの例においては、ＷＴＲＵは、３つ以上の測定量、例えば、ＲＳＲＰとＲＳＲＱとＳＩＮＲなどを含むトリガ条件を用いるように構成することができる。
【００９９】
複数のセルが、同時にトリガ条件を満足するケースについて、ＷＴＲＵは、トリガ条件と関連付けられた測定量に基づいて、ターゲットセルを優先順位付けするように構成することができる。例えば、ＷＴＲＵは、最も高いＳＩＮＲを有する候補セルを優先するように構成することができる。別の例においては、ＷＴＲＵは、最も高いＲＳＲＱを有する候補セルを優先するように構成することができる。いくつかの例においては、ＷＴＲＵは、あるトリガ条件が他よりも優先されるような、トリガ条件と関連付けられた優先順位を用いるように構成することができる。例えば、ＷＴＲＵは、ＲＳＲＰベースのトリガ条件よりも、ＳＩＮＲおよび／またはＲＳＲＱに基づいたトリガ条件を優先するように構成することができる。
【０１００】
いくつかの実施形態においては、ＣＨＯトリガは、複数の参照信号タイプと関連付けられる。例えば、ＷＴＲＵは、特定のＲＳタイプと関連付けられた測定に基づいた、ＣＨＯトリガ条件を用いるように構成することができる。ＲＳタイプは、例えば、ＳＳＢまたはＣＳＩ−ＲＳであることができる。いくつかの例においては、ＷＴＲＵは、各々が２つ以上の参照信号タイプを含む、複数のトリガ条件を用いるように構成することができる。例えば、ＷＴＲＵは、ＳＳＢと関連付けられた測定に基づいた１つのトリガ条件、およびＣＳＩ−ＲＳと関連付けられた測定に基づいた別のトリガ条件を用いるように構成することができる。そのようなトリガ条件は、同じまたは異なる候補セルおよび／または周波数と関連付けることができる。
【０１０１】
複数のセルが、同時にトリガ条件を満足するケースについて、ＷＴＲＵは、各トリガ条件と関連付けられた参照信号タイプに基づいて、ターゲットセルを優先順位付けするように構成することができる。例えば、ＷＴＲＵは、ＳＳＢに基づいて、最も多くの良好なビームを有する候補セルを優先するように構成することができる。この文脈において、良好なビームは、それのＲＳＲＰが、事前構成されたしきい値（例えば、ＲＳＲＰ−Ｔｈｒｅｓｈｏｌｄ−ＳＳＢ）を上回るＳＳＢと関連付けられた、ビームを指すことができる。別の例においては、ＷＴＲＵは、ＣＳＩ−ＲＳに基づいて、最も多くの良好なビームを有する候補セルを優先するように構成することができる。この文脈において、良好なビームは、それのＲＳＲＰが、事前構成されたしきい値（例えば、ＲＳＲＰ−Ｔｈｒｅｓｈｏｌｄ−ＣＳＩ−ＲＳ）を上回るＣＳＩ−ＲＳと関連付けられた、ビームを指すことができる。いくつかの例においては、ＷＴＲＵは、サービスのタイプに基づいて、どの参照信号タイプを優先するかを決定するように構成することができる。例えば、ＷＴＲＵが、信頼性を好むように構成される場合、ＷＴＲＵは、ＲＳタイプとしてＳＳＢと関連付けられたトリガ条件を優先することができる。同様に、ＷＴＲＵが、より低い遅延またはより高いスループットを好むように構成される場合、ＷＴＲＵは、ＲＳタイプとしてＣＳＩ−ＲＳに基づいたトリガ条件を優先することができる。
【０１０２】
いくつかの実施形態は、暗黙的なおよび／またはデフォルトのＣＨＯ候補を含む。いくつかのケースにおいては、ＣＨＯ候補の暗黙的な構成は、ＲＲＣシグナリングのオーバヘッドの低減を容易にすることができる。いくつかの実施においては、ＷＴＲＵは、デフォルトで、特定の特性を有するセルをＣＨＯ候補と仮定することができる。例えば、ＷＴＲＵは、ＷＴＲＵのために構成されたすべてのセカンダリセル（Ｓｃｅｌｌ）を、暗黙的なＣＨＯ候補と見なすことができる。別の例においては、ＷＴＲＵは、アクティブ化されたそれらのＳｃｅｌｌだけを、暗黙的なＣＨＯ候補と見なすことができる。別の例においては、ＷＴＲＵは、ＳｃｅｌｌをデフォルトＣＨＯ候補と見なすべきかどうかに関して、Ｓｃｅｌｌの追加または変更中に、構成することができる。別の例においては、ＷＴＲＵは、プライマリＳセル（ＰＳｃｅｌｌ）が、暗黙的なＣＨＯ候補であると仮定することができる。別の例では、ＷＴＲＵは、ＳＣＧ内のいずれかのセルを、暗黙的なＣＨＯ候補と見なすことができる。別の例では、ＷＴＲＵは、ＳｃｅｌｌをデフォルトＣＨＯ候補と見なすべきかどうかに関して、ＳＣＧの追加もしくは変更、またはセルグループ構成中に、構成することができる。別の例においては、ＷＴＲＵは、ＣＨＯ実行中に、（例えば、明示的なＣＨＯ候補よりも）暗黙的なＣＨＯ候補を優先するように構成することができる。
【０１０３】
いくつかの実施形態は、トリガ条件と関連付けられた優先順位を含む。いくつかの実施形態においては、ＷＴＲＵは、ＣＨＯのために１つまたは複数の候補セルを用いるように構成することができ、各候補セルは、ＣＨＯの実行のための複数のトリガ条件をもたらす、１つまたは複数のトリガ条件と関連付けることができる。与えられた時間において、２つ以上のトリガ条件が満足されることが起こることがある。いくつかの例においては、ＷＴＲＵは、これらの満足されたトリガ条件が、異なる候補セルと関連付けられるとき、どのターゲットセルにＣＨＯするかを決定するためのルールを用いるように構成することができる。例示的なルールは、最良のビームに基づいた、良好なビームの数に基づいた、および／または専用リソースの利用可能性に基づいた、優先順位付け、または優先順位付けの組み合わせを含むことができる。最良のビームに基づいた優先順位付けについて、ＷＴＲＵは、（例えば、ＲＳＲＰ、ＲＳＲＱ、またはＳＩＮＲに関して）ＷＴＲＵに関して最良のビームを有する候補セルを選択するように構成することができる。良好なビームの数に基づいた優先順位付けについて、ＷＴＲＵは、ＷＴＲＵに関して最も多くの良好なビームを有する候補セルを選択するように構成することができ、良好なビームは、事前構成されたしきい値を上回る測定量（例えば、ＲＳＲＰ、ＲＳＲＱ、またはＳＩＮＲ）に関して、定義することができる。ＷＴＲＵに対する専用リソースの利用可能性に基づいた優先順位付けについて、ＷＴＲＵは、（例えば、ＲＳＲＰ、ＲＳＲＱ、またはＳＩＮＲに関して）最小しきい値を上回る利用可能性を有し、使用可能な専用リソース（例えば、ＣＦＲＡ）と関連付けられた、候補セルを選択するように構成することができる。あるいは、ＷＴＲＵは、良好なビームと関連付けられた最も多くのＣＦＲＡリソースを有する候補セルを選択するように構成することができる。
【０１０４】
いくつかの例においては、ＷＴＲＵは、ＣＨＯの信頼性を優先するように構成することができる。例えば、ＷＴＲＵは、候補セルの中から、最も良いセル品質および／またはビーム品質を有するセルを選択するように構成することができる。いくつかの例においては、ＷＴＲＵは、ＣＨＯの遅延を優先するように構成することができる。例えば、ＷＴＲＵは、候補セルの中から、使用可能なＣＦＲＡリソースを有するセルを選択することができる。使用可能という用語は、ＣＦＲＡリソース構成と関連付けられたビーム（すなわち、参照信号）が、（例えば、ＲＳＲＰ、ＲＳＲＱ、および／またはＳＩＮＲに関して）最小しきい値を満たすことを示す。
【０１０５】
いくつかの実施形態は、ソースセルにおけるサービングビームの関数として、ターゲットセルにおけるＣＦＲＡ有効性を実施する。いくつかの実施形態は、ソースセルにおけるサービングビームに基づいて、アクティブ化されるＣＦＲＡリソースを示す、ＣＨＯコマンドを提供する。例えば、ＷＴＲＵは、ターゲットセルにおけるいくつかまたはすべてのＳＳＢ／ＣＳＩ−ＲＳのための専用ＲＡＣＨリソースの複数の構成を含む、ＣＨＯコマンドを受信することができる。さらに、ＷＴＲＵは、サービングビームとターゲットセルにおけるビームのグループとの間の関連付けを用いるように構成することができる。いくつかの例においては、ＷＴＲＵは、ターゲットセルにおけるＣＦＲＡを用いるビームを、それがサービングセルにおけるサービングビーム（または最良ビーム）と関連付けられる場合だけ、選択することができる。
【０１０６】
サービングセルは、ターゲットセル識別子（ＴＣＩ）状態を使用して、（例えば、物理ダウンリンク制御チャネル（ＰＤＣＣＨ）監視またはＤＬデータのために）どのビームを使用すべきかを伝達する。ソースセルにおけるサービングビームに基づいてアクティブ化されるＣＦＲＡリソースを示すインジケーションは、ＴＣＩ状態に基づくことができる。例えば、ＷＴＲＵが、ターゲットセルにおいて、ハンドオーバコマンドを実行するとき、それは、ＴＣＩ状態において示されたビームにリンクされた、ターゲットセルにおけるビームのためのＣＦＲＡリソースだけを考慮することができる。ＷＴＲＵは、現在のサービングセルビームにリンクされた（すなわち、ＴＣＩ状態に基づいた）、ターゲットセルビームにおけるＣＦＲＡリソースだけが、有効であると仮定するように構成することができる。事前構成されたリンケージに基づいた、ＣＦＲＡリソースのこの暗黙的なアクティブ化は、頻繁なシグナリングを最小化する利点を有することができる。
【０１０７】
図３は、それらのソースセル３００におけるサービングビームとの関連付けに基づいてアクティブ化される、ＣＦＲＡリソースを例示するセル図である。図３において、ソースセル３００におけるＷＴＲＵは、サービングビーム３０５と、第１のターゲットセル３２５におけるビーム３１０、３１５、３２０との間の関連付けを用いるように構成される。ＷＴＲＵが、ターゲットセル３２５において、ＣＨＯを実行する場合、ビーム３１０、３１５、３２０のためのＣＦＲＡリソースだけが、ＴＣＩ状態において示される、それらのサービングビーム３０５との関連付けに基づいて、アクティブ化される。ビーム３３０、３３５のためのＣＦＲＡリソースは、それらがサービングビーム３０５と関連付けられないので、アクティブ化されない。
【０１０８】
条件付き再構成のタイミングは、ＷＴＲＵによって決定することができるので、ターゲットセルにおいてＷＴＲＵによって使用されるＲＲＣ構成は、曖昧であり、ハンドオーバ失敗をもたらすことがある。
【０１０９】
図４は、例示的な構成ミスマッチシナリオを例示するメッセージシーケンスチャートである。図４の例においては、ＷＴＲＵ４００は、最初に、ソースｇＮＢ４１０から、ターゲットｇＮＢ４０５についての条件付き再構成４２０を受信することができる。ソースｇＮＢ４１０は、Ｘｎインターフェース上において行うことができる調整４２５に基づいて、条件付き再構成４２０を決定することができる。Ｘｎ調整４２５は、ハンドオーバ準備シグナリングに基づくことができる。条件付き再構成４２０は、トリガ条件、およびトリガ条件が発生した場合に、ターゲットｇＮＢ４０５と関連付けられたターゲットセルにおいて適用される、ＲＲＣ構成を含む、様々なパラメータを含むことができる。いくつかの実施においては、パラメータは、ターゲットセルＲＲＣ構成と関連付けられた、論理識別子を含むことができる。ＷＴＲＵ４００は、ステップ４３０において、時間Ｔ１の間、トリガ条件を監視することを開始することができる。時間Ｔ１の間、ＷＴＲＵは、ソースｇＮＢ４１０と関連付けられたサービングセルに依然として接続されていることができ、ソースｇＮＢ４１０から異なる種類のＲＲＣシグナリングを受信することができる。ソースｇＮＢ４１０からのそのようなＲＲＣシグナリングは、ＷＴＲＵ４００において、記憶された条件付き再構成４２０に影響することができ、したがって、ソースｇＮＢ４１０と関連付けられたソースセルにおいて適用される、ＷＴＲＵ４００の構成に影響することができる。ターゲット動作に適用可能なＷＴＲＵの条件付き構成４２０が、更新されたときは常に、ソースｇＮＢ４１０は、ターゲットｇＮＢ４０５と調整する必要があることもある。例えば、ソースｇＮＢ４１０は、ＲＲＣ構成４２０が、ＷＴＲＵとターゲットｇＮＢとの間で一貫性があるように、ＷＴＲＵ４００およびターゲットｇＮＢ４０５の両方を調整する必要があることがある。
【０１１０】
条件付き再構成のタイミングは、ＷＴＲＵによって決定されるので、ソースセルとの再構成が進行している間に、ＷＴＲＵが自律的にハンドオーバをトリガするケースがあることがある。これは、ターゲットセルにおいて、構成ミスマッチをもたらすことがあり、ハンドオーバ手順の失敗をもたらす。言い換えると、ターゲットｇＮＢは、ソースセルにおいて最後に使用されたＲＲＣ構成について、不確実なことがある。例えば、ＷＴＲＵ４００は、時間Ｔ１の間、ソースセルにおいて、１つまたは複数の再構成を受信することがある。ＣＨＯをトリガする前に、ＷＴＲＵが、それらの再構成を受信／適用することができたか、またはできなかったかは、ターゲットｇＮＢには明らかでないことがある。この例においては、ソースｇＮＢ４１０は、Ｘｎインターフェース上における調整４４０に基づいて、条件付き再構成４２０に対する更新４３５を決定し、更新４３５をＷＴＲＵ４００に送信する。更新４３５は、条件付き再構成４２０におけるパラメータに対する１つまたは複数の変更（例えば、異なるターゲットセルＲＲＣ構成、異なるＲＡＣＨ構成、異なる無線ベアラ構成、異なるセキュリティ構成、異なる１つまたは複数の条件など）を含むことができる。条件付き再構成４２０のパラメータが、識別子（例えば、ＩＤ番号）を含む場合、更新４３５は、異なる識別子を含む。ＷＴＲＵ４００は、図４に例示されるように、更新４３５を受信しない。ステップ４４５において、ＷＴＲＵ４００は、条件付き再構成４２０において示されたトリガ条件が、満足されたと決定し、ターゲットｅＮＢ４０５とのランダムアクセス手順４５０を開始する。ここで、ＷＴＲＵ４００が、更新４３５に基づかず、条件付き再構成４２０に基づいて、ランダムアクセス手順４５０をトリガしたという点において、構成ミスマッチが、発生した。
【０１１１】
ＷＴＲＵは、ターゲットセルと関連付けられた、それの構成を示すインジケーションを送信することができる。例えば、ＷＴＲＵは、ターゲットセルと関連付けられた、それのＲＲＣ構成を示すインジケーションを送信するように構成することができる。インジケーションは、ターゲットセルにおいて、ランダムアクセス手順の後、最初のメッセージで送信することができる。インジケーションは、ターゲットセルにおいて、最初のＲＲＣメッセージとともに、送信することができる。インジケーションは、ＷＴＲＵによって適用される、条件付き再構成メッセージと関連付けられたアイデンティティ（例えば、識別子、ＩＤ番号、または上で説明されたような他のパラメータ）を含むことができる。例えば、インジケーションは、ターゲットセルと関連付けられた条件付き再構成メッセージを含む、最新のＲＲＣ再構成メッセージに対応する、トランザクション識別子を含むことができる。インジケーションは、ソースｇＮＢにおける最後に使用されたＲＲＣ構成と関連付けられたアイデンティティであることができる。例えば、インジケーションは、ソースｇＮＢにおいてＷＴＲＵによって正常に受信および適用された、最新のＲＲＣ再構成メッセージに対応する、トランザクション識別子であることができる。
【０１１２】
ＷＴＲＵは、最初のＲＲＣメッセージとともに、ＭＡＣ  ＣＥでインジケーションを送信するように構成することができる。例えば、最初のＲＲＣメッセージは、ＭＡＣ  ＣＥによって示される構成を使用して、暗号化およびインテグリティ保護の両方を施すことができる。ＷＴＲＵは、ＲＲＣメッセージ内においてインジケーションを送信するように構成することができる。例えば、ＷＴＲＵは、ＲＲＣ再構成完了メッセージ内のトランザクション識別子の一部として、インジケーションを送信することができる。ＲＲＣメッセージは、インテグリティ保護だけを施すことができる。
【０１１３】
サービングセルを含むＲＲＣ再構成手順について、ＷＴＲＵは、ＲＲＣ再構成完了メッセージをソースセルに送信することができる。モビリティを含むＲＲＣ再構成手順について、ＷＴＲＵは、ＲＲＣ応答メッセージをソースセルに送信しないことがあるが、ＲＲＣ再構成完了メッセージをターゲットセルに送信することができる。例えば、図４において、ＷＴＲＵ４００は、ランダムアクセス手順４５０の後、再構成完了メッセージ４５５をターゲットｇＮＢ４０５に送信する。これは、ＷＴＲＵが、モビリティを伴うＲＲＣ再構成メッセージを受信した後、ソースセル送信を停止するので、望ましいことがある。再構成完了メッセージ４５５は、上で説明されたように、ＷＴＲＵによって適用される条件付き再構成メッセージと関連付けられたアイデンティティ（例えば、識別子、ＩＤ番号、または他のパラメータ）を含むことができる。
【０１１４】
モビリティを含む条件付き再構成のケースにおいては、ＷＴＲＵは、ＲＲＣ再構成メッセージを受信した後、ソースセルに留まることができる。モビリティを伴う通常のＲＲＣ再構成とは異なり、ＷＴＲＵは、条件付き再構成の正常な受信をソースセルに知らせることを要求されることがある。
【０１１５】
ＷＴＲＵは、条件付き再構成メッセージに応答して、２つの応答メッセージを送信するように構成することができる。ＷＴＲＵは、モビリティを含む条件付き再構成の受信時に、第１のメッセージをソースセルに送信するように構成することができる。ＷＴＲＵは、モビリティを含む条件付き再構成の実行時に、第２のメッセージをターゲットセルに送信するように構成することができる。第１のメッセージは、事前定義された論理チャネル識別（ＬＣＩＤ）を有する、ＭＡＣ制御要素であることができる。ＭＡＣ  ＣＥは、条件付き再構成を含む対応するＲＲＣメッセージのトランザクション識別子を示すことができる。第１のメッセージは、条件付き再構成メッセージの正常な受信を示す、ＲＲＣ応答メッセージであることができる。ＷＴＲＵが、条件付き再構成に従うことができない場合、ＷＴＲＵは、ＲＲＣ応答メッセージで、失敗原因を送信することができる。第２のメッセージは、ＲＲＣ再構成完了メッセージであることができる。
【０１１６】
測定を送信するのが、遅すぎることがあり、それは、ネットワークが、ハンドオーバコマンドを時間内に準備および送信することを可能にしないことがある。測定をトリガする時間は、ソースセルにおける無線リンク品質の関数であることができる。例えば、トリガする時間（ＴＴＴ）は、以下のうちの１つまたは複数、すなわち、無線リンクモニタリングのために構成されたリソースのブロック誤り率（ＢＬＥＲ）、同期ずれ（ＯＯＳ）事例の数、ソースセルにおいて検出されたビーム障害事例の数、サービングセルの品質（ＲＳＲＰ、ＲＳＲＱ、ＳＩＮＲ）、ソースセルまたはベースにおける最良ビームの品質、およびＰＤＣＣＨのためのアクティブなＴＣＩ状態のために提供されるＲＳのうちの１つまたは複数の関数であることができる。
【０１１７】
測定オブジェクトをトリガするための構成された時間は、無視されることがあり、ソースセルにおける測定結果または無線リンクについてのいくつかの条件が、満たされたとき、測定報告が、ＷＴＲＵによって直ちに送信される。例えば、測定イベント条件が、満足されたとき、ＷＴＲＵは、ＲＬＦタイマが開始すると直ちに、利用可能な測定報告を送信することができる。
【０１１８】
測定報告のＴＴＴは、以前の時間期間に、サービングセルにおいて、ＷＴＲＵによって経験された伝播条件の関数であることができる。ＴＴＴは、過去の時間期間における、ＲＬＦタイマ開始事例の数の関数であることができる。例えば、ＲＬＦタイマが、以前の「ｙ」時間期間において、少なくとも「ｘ」回開始した場合、ＷＴＲＵは、より低いＴＴＴを適用することができる。値「ｘ」および「ｙ」は、構成可能であることができる。
【０１１９】
最近報告された測定が、まだ有効である間に、ＷＴＲＵが無線リンクの問題を検出したとき、ＷＴＲＵは、以前に送信された測定報告の結果に基づいて、アクションを起こす（例えば、ハンドオーバコマンドを準備および送信する）ために、ネットワークに通知することができる。
【０１２０】
インジケーション送信のためのトリガは、先に説明された条件のいずれかに基づくことができる。
【０１２１】
測定結果の有効性、および無線リンク問題を示すインジケーションをＮＷに送信することのその後の決定は、ＷＴＲＵによって決定することができる。このインジケーションを送信することの決定は、ＮＷに送信された以前の測定報告が、まだ有効であるかどうかに基づくことができる。
【０１２２】
測定結果の有効性は、ＷＴＲＵがインジケーションを送信する必要があるときに、報告をトリガしたターゲットセルが、測定報告条件をまだ満足しているかどうかに基づいて、ＷＴＲＵによって決定することができる。
【０１２３】
この状態の評価は、レイヤ１測定に基づくことができる。可能な限り早くインジケーションを送信するために、レイヤ３フィルタリングを適用しないことがある。
【０１２４】
測定結果の有効性は、最後の報告と、ＷＴＲＵがインジケーションを送信する必要がある瞬間との間の経過時間に基づいて、決定することができる。複数の測定報告が、最近、送信され、ターゲットセルのサブセットだけが、まだハンドオーバに適している場合、ＷＴＲＵは、インジケーション内に、適切なターゲットセルのアイデンティティを含めることができる。
【０１２５】
例えば、イベントが、最近、報告をトリガしたことがあるが、ネットワークは、（例えば、サービングセルが、まだ十分に強いので）ＷＴＲＵをターゲットセルに向かってハンドオフすると決定しなかったことがある。直近の測定報告をトリガしたターゲットセルが、まだ報告条件を満足していることを、ＷＴＲＵが測定する一方で、それが、無線リンク問題を経験し始めた場合、ＷＴＲＵは、リンク劣化を示すインジケーション、および以前の測定報告の有効性を送信することができる。
【０１２６】
隣接者セル品質が、サービングセルよりもｘ  ｄＢ高く、サービングセルとのリンクが、（例えば、ＲＬＭ評価に基づいて）突然悪化したことを、ＷＴＲＵが測定した場合、ＷＴＲＵが報告イベントを用いるように構成されているかどうかに関わらず、ＷＴＲＵは、先に定義された無線リンク障害トリガのうちの１つが達成されると直ちに、インジケーションを送信ことができる。このインジケーションは、最も良好に測定された隣接者セルのアイデンティティを含むことができる。このインジケーションは、ターゲットセルにおける最良ビームＩＤを含むことができる。
【０１２７】
ＷＴＲＵは、異なる帯域幅部分（ＢＷＰ）に属する、ＣＳＩ−ＲＳおよび／またはＳＳＢのセットと関連付けられた、複数の測定オブジェクトを用いるように構成することができる。これらの測定オブジェクトは、報告構成と関連付けることができる。報告構成は、現在アクティブなＤＬ  ＢＷＰにおいて監視される無線リンクに基づいた測定（すなわち、Ｌ１測定）、またはソースセル測定結果（すなわち、Ｌ３測定）を報告するための条件をさらに含むことができる。条件は、上で説明されたトリガのうちの１つであることができる。
【０１２８】
いくつかの実施形態は、デルタＣＨＯ再構成のために、ビーム測定結果の更新を提供する。デルタＣＨＯ再構成は、既存のＣＨＯに対するインクリメンタル更新を指す。例えば、デルタＣＨＯは、既存のＣＨＯとは異なるリソースを示すことができる。いくつかの実施形態は、ビームＩＤの送信、およびデルタＣＨＯ再構成の受信を含む。例えば、ＷＴＲＵは、複数のターゲットセルのためのＣＨＯコマンドを受信することができ、ターゲットセルと関連付けられた最良ビームを監視することができる。
【０１２９】
いくつかの例においては、ＷＴＲＵは、ターゲットセルにおける最良ビームの品質、または最良ビームのグループの平均品質が、しきい値よりも低下した場合にトリガされる、測定イベントを用いるように構成することができる。測定イベントが、トリガされた場合、ＷＴＲＵは、測定報告をｇＮＢに送信する。測定報告は、ターゲットセルにおけるすべてのビームの品質測定（例えば、ＲＳＲＰ、ＲＳＲＱ、もしくはＳＩＮＲ）、しきい値を超える新しい最良の検出されたビームの識別、ビームのビームアイデンティティ、またはこれらの組み合わせを含むことができる。測定報告に応答して、ＷＴＲＵは、示されたビームと関連付けられた、ターゲットセルのための新しい専用ＲＡＣＨリソースを含む、ターゲットセルのＣＨＯコマンドのためのデルタ再構成を受信することができる。
【０１３０】
ＷＴＲＵが、アクティブなＵＬ−ＤＬ  ＢＷＰペアにおいて、無線リンク問題を経験しており、測定報告が、上で説明された条件に基づいて、トリガされた場合、ＷＴＲＵは、現在のアクティブなＵＬ  ＢＷＰにおいて、報告を正常に送信できないことがある。それは、アクティブなＤＬ  ＢＷＰにおいて、後続のハンドオーバコマンドを受信できないこともある。したがって、いくつかの実施においては、測定報告が、上で説明された基準のいずれかに基づいて、トリガされた場合、ＷＴＲＵは、アクティブなＵＬ／ＤＬ  ＢＷＰを、あまり制約的でない無線条件を経験しているＲＲＣ構成されたＵＬ／ＤＬ  ＢＷＰのうちの１つに、自律的に切り換えることができる。ＴＤＤにおいては、ＷＴＲＵは、それが測定した、構成されたＣＳＩ−ＲＳおよび／またはＳＳＢリソースのセットに基づいて、この切り換えを実行することができる。ＦＤＤにおいては、ＷＴＲＵは、測定されたＤＬ参照信号（すなわち、測定オブジェクトと関連付けられた参照信号）からの推定経路損失に基づいて、それのアクティブなＵＬ  ＢＷＰを切り換えることができる。ＷＴＲＵは、測定結果および経路損失推定に基づいて、ＵＬおよびＤＬ両方のＢＷＰ、または一方のＢＷＰだけを切り換えることができる。
【０１３１】
いずれかのＢＷＰ切り換えの後、ＷＴＲＵは、測定報告をＮＷに送信することができる。妥当である場合、測定報告は、ＷＴＲＵが自律的に切り換えたＤＬ  ＢＷＰのアイデンティティも含むことができる。ＷＴＲＵは、受信された測定報告に基づいて、新しいアクティブ化されたＤＬ  ＢＷＰ、または別のＤＬ／ＵＬ  ＢＷＰに切り換わるＢＷＰのためのＤＣＩで、ハンドオーバコマンドを受信することができる。新しいアクティブ化されたＤＬ／ＵＬ  ＢＷＰと関連付けられた測定結果が、許容可能である場合、アクションが、起こされないことがある。
【０１３２】
ＷＴＲＵは、ターゲットセルにおける複数の構成されたＵＬおよびＤＬ  ＢＷＰを含む、ハンドオーバコマンドを用いるように構成することができる。ＷＴＲＵは、各ＢＷＰと関連付けられた測定報告を送信することができる。ハンドオーバコマンドを実行するとき、ＷＴＲＵは、参照信号に対する測定を実行し、それに関連付けられた専用構成に応じて、最良の参照信号に関連付けられたＢＷＰを選択することができる。
【０１３３】
例えば、ＷＴＲＵは、最初に、専用構成の順序で、次に、各ＢＷＰに関連付けられたビームの品質の順序で、第１のアクティブなＢＷＰを選択することができる。ＷＴＲＵは、この参照信号が、専用構成（すなわち、ＣＦＲＡリソース）と関連付けられる場合、最良の測定された参照信号と関連付けられたＢＷＰを選択することができ、そうでない場合、専用ＰＲＡＣＨリソースと関連付けられた２番目に最良のビームを搬送する２番目に最良のＢＷＰを選択することができ、以降も同様である。
【０１３４】
いくつかの実施形態は、同じターゲットセルｉｄに対して、複数のＣＨＯコマンドを含む。例えば、いくつかの実施形態においては、複数の第１のアクティブなＵＬおよびＤＬ  ＢＷＰが、測定に基づいて、ターゲットセル選択において構成される。例えば、ＷＴＲＵは、ＲＡＣＨのための候補ビームの異なるセット（同期信号ブロック（ＳＳＢ）および／またはチャネル状態情報参照信号（ＣＳＩ−ＲＳ））を含む、同じターゲットセルｉｄに対する、しかし、異なる第１のアクティブなＵＬおよびＤＬ  ＢＷＰを有する、複数の条件付き再構成コマンドを受信することができる。与えられたターゲットのためのＣＨＯ実行条件が、満足された場合（例えば、Ａｘイベント）、ＷＴＲＵは、例えば、最良の参照信号（ＳＳＢおよび／またはＣＳＩ−ＲＳ）が測定された、第１のアクティブなＤＬ  ＢＷＰを用いるように構成されたＣＨＯコマンドに基づいて、構成を選択することができる。与えられたターゲットのためのＣＨＯ実行条件を満足する例示的なイベントは、Ａｘイベントを含み、Ａ１は、サービングセルが、（例えば、ＷＴＲＵに関するＲＳＲＰ、またはＲＳＲＱ、またはＳＩＮＲに関して）、しきい値よりも良くなったことを示し、Ａ２は、サービングセルが、しきい値よりも悪くなったことを示し、Ａ３は、隣接者セルが、ＳｐＣｅｌｌよりもオフセットだけ良くなったことを示し、Ａ４は、隣接者セルが、しきい値よりも良くなったことを示し、Ａ５は、ＳｐＣｅｌｌが、第１のしきい値よりも悪くなり、隣接者セルが、第２のしきい値よりも良くなったことを示し、Ａ６は、隣接者セルが、ＳＣｅｌｌよりもオフセットだけ良くなったことを示す。
【０１３５】
いくつかの実施形態は、ＲＡＣＨ構成に基づいたターゲットセル選択において、第１のアクティブなＵＬ／ＤＬ  ＢＷＰまたはキャリアの選択を含む。例えば、ＷＴＲＵは、最良の測定された１つまたは複数のＤＬビームと関連付けられた、１つまたは複数のＣＦＲＡリソースを用いるように構成された、第１のアクティブなＵＬ  ＢＷＰ（およびペアをなすＤＬ  ＢＷＰ）を用いるように構成された、ＣＨＯコマンドを選択することができる。ＷＴＲＵは、異なるＣＦＲＡリソースと関連付けられた、ターゲットセルにおける複数のアップリンクキャリアを用いるように構成することができ、ＷＴＲＵは、ＣＦＲＡリソースの最も早い利用可能性に基づいて、例えば、最小品質しきい値を上回るキャリアの中から、ＲＡＣＨを実行するためのキャリアを選択することができる。
【０１３６】
ハンドオーバコマンドが送信または受信されるのが、早すぎる、または遅すぎる場合、ハンドオーバ失敗が、発生することがある。ＷＴＲＵの正確な経路、ソースセルおよびターゲットセルにおけるそれに関連付けられたモビリティの進展を、ＮＷに示すことができる測定は、適切なタイミングを用いたハンドオーバコマンドの送信において、ＮＷを支援することができる。
【０１３７】
新しいタイプの測定イベントを、ソースセルおよびターゲットセルにおける測定の勾配と関連付けることができる。例えば、ソースセル品質は、過去「ｙ」の時間期間の間に、少なくとも「ｘ」ｄｂだけ減少したが、隣接者セルの品質は、過去「ｙ」の時間期間の間に、少なくとも「ｚ」ｄｂだけ増加した場合、測定報告をトリガすることができる。これは、ＷＴＲＵがセルＡから遠ざかり、セルＢに接近していることを示しながら、両方のセルにおいて経験された無線リンク状態についてＮＷに通知もするインジケーションを、ＮＷに与えることができる。
【０１３８】
ターゲットセルが、上で説明された基準を満足するとき、それは、ハンドオーバコマンドの構成および送信においてＮＷを支援するために、またＲＡＣＨのための専用ビームを準備するためにターゲットセルを支援するために、（例えば、高い周期性を用いて）ターゲットセル結果の周期的な測定報告をトリガすることができる。
【０１３９】
ハンドオーバ失敗の別の理由は、ターゲットセルにおけるランダムアクセス手順中に、ｇＮＢが、ＵＬ信号（例えば、ｍｓｇ１、ｍｓｇ３）をデコードすることができないこと、またはＷＴＲＵが、ＰＤＣＣＨ内におけるＤＬ信号（例えば、ｍｓｇ２、ｍｓｇ４）をデコードすることができないことであることができる。ＷＴＲＵが、ハンドオーバコマンドを実行する前に、ＰＤＣＣＨを監視し、および／またはアップリンク信号を正常に送信することが可能である場合、それは、ターゲットセルに対するアクションを開始し、ソースセルとの接続を安全に中断するかどうかの決定時に、ＷＴＲＵを支援することができる。
【０１４０】
ＷＴＲＵは、１つまたは複数のターゲットセルと関連付けられたＣＨＯを用いるように構成することができる。１つまたは複数のターゲットセルが、ハンドオーバ実行基準を満足する場合、ＷＴＲＵは、ハンドオーバコマンドを実行する前に、異なるターゲットセルのＰＤＣＣＨを監視することができる。
【０１４１】
事前構成されたターゲットセルは、ＣＨＯを用いるように構成されたＷＴＲＵのための専用ＣＯＲＥＳＥＴにおいて、信号（例えば、ＤＣＩ）を送信することができる。ソースセルは、ＣＨＯコマンドを用いるように構成されたＷＴＲＵのアイデンティティについて、ターゲットセルに通知することができる。
【０１４２】
ＷＴＲＵは、条件付きハンドオーバコマンドで、潜在的なターゲットセルにおいてこの特定のＣＯＲＥＳＥＴに関連付けられた探索空間のための構成を受信することができる。その後、ＷＴＲＵは、それがＤＣＩをデコードすることができたターゲットセル上だけにおいて、ハンドオーバコマンドを選択し、実行することができる。
【０１４３】
ハンドオーバコマンドを実行する前に、ＷＴＲＵは、ＳＲＳに似た信号を送信することによって、ターゲットセルにおけるアップリンクロバスト性に関する、さらなる情報を取得することができる。信号が、正常に受信された場合、またはアップリンク信号に関連付けられた測定結果が、構成されたしきい値を上回る場合、ターゲットセルは、ソースセルを通して、ＷＴＲＵにインジケーションを送信することができる。このインジケーションは、ターゲットセル上における実際のハンドオーバ実行をトリガすることができる。
【０１４４】
ＷＴＲＵは、以下のアクションのうちの１つまたは複数を実行するために、レガシ測定イベント、および条件付きハンドオーバに関連するいずれかのトリガに加えて、上で説明されたような１つまたは複数のトリガを用いるように構成することができる。ＷＴＲＵは、測定報告をサービングセルに送信することができる。ＷＴＲＵは、条件付きハンドオーバを実行することができる。
【０１４５】
ＷＴＲＵは、サービングセルではないセルのリソースを使用して、アクセスを開始することができる。これは、ＷＴＲＵが、限られてはいるが、少なくとも、アクセスを開始するためには、および／または非サービングセルにおいて識別されるためには十分な構成を、ＷＴＲＵが有する間に、モビリティ手順を実行することを可能にすることができる。例えば、構成は、最小限、サービング周波数、およびセルアイデンティティなどを含むことができる。識別は、ＷＴＲＵのための構成されたアイデンティティ、おそらくは、ＲＡＮエリア固有のアイデンティティに基づくことができる。モビリティ手順は、一般に、フォワードモビリティ手順、またはアップリンクモビリティ手順と呼ばれることがある。
【０１４６】
ＷＴＲＵは、トリガ条件が満足されたとき、特定のアクションを実行するように構成することができる。構成は、（例えば、トリガにリンクされる、測定オブジェクトの一部として構成されるなど）明示的であることができ、または暗黙的に、サービングセル品質、および／もしくはＲＬＭプロセスのステータスに基づくことができる。
【０１４７】
以下の説明は、条件付きハンドオーバのサポートにおける、従来のシステムに対する変更を含む。
【０１４８】
表１は、ＲＲＣ再構成メッセージの受信時に、ＷＴＲＵが実行することができる例示的なステップを含む。
【０１４９】
【表１】
2021520114.tif 000003
【０１５０】
表２は、条件付き再構成を開始するために、ＷＴＲＵが実行することができる例示的なステップを含む。
【０１５１】
【表２】
2021520114.tif 000004
【０１５２】
表３は、条件付き再構成を実行するために、ＷＴＲＵが実行することができる例示的なステップを含む。
【０１５３】
【表３】
2021520114.tif 000005
【０１５４】
表４は、Ｔ３８０の満了を処理するために、ＷＴＲＵが実行することができる例示的なステップを含む。
【０１５５】
【表４】
2021520114.tif 000006
【０１５６】
表５は、記憶された再構成を削除するために、ＷＴＲＵが実行することができる例示的なステップを含む。
【０１５７】
【表５】
2021520114.tif 000007
【０１５８】
表６は、ＲＬＦを検出するために、ＷＴＲＵが実行することができる例示的なステップを含む。
【０１５９】
【表６】
2021520114.tif 000008
【０１６０】
上で説明されたように、ＲＲＣＲｅｃｏｎｆｉｇｕｒａｔｉｏｎメッセージは、ＲＲＣ接続を変更するためのコマンドであることができる。それは、測定構成、モビリティ制御、含む（ＲＢ、ＭＡＣメイン構成、および物理チャネル構成を含む）無線リソース構成、ならびにセキュリティ構成のための情報を伝達することができる。表７は、ＲＲＣＲｅｃｏｎｆｉｇｕｒａｔｉｏｎメッセージの例示的なフォーマットを含む。
【０１６１】
【表７】
2021520114.tif 000009
【０１６２】
ＣｏｎｄｉｔｉｏｎａｌＲｅｃｏｎｆｉｇ情報要素を使用して、条件付き再構成と関連付けられたトリガ条件およびパラメータを構成することができる。表８は、ＣｏｎｄｉｔｉｏｎａｌＲｅｃｏｎｆｉｇ情報要素の形成を示している。
【０１６３】
【表８】
2021520114.tif 000010
【０１６４】
変数ＶａｒＣｏｎｄｉｔｉｏｎａｌＲｅｃｏｎｆｉｇＬｉｓｔは、トリガリング条件がそれのために監視される、１つまたは複数のターゲットセルについての情報を含むことができる。表９は、ＶａｒＣｏｎｄｉｔｉｏｎａｌＲｅｃｏｎｆｉｇＬｉｓｔ変数の形式を示している。
【０１６５】
【表９】
2021520114.tif 000011
【０１６６】
図５は、ＣＨＯへのフォールバックを含む、再確立のための例示的な手順を例示するメッセージシーケンスチャートである。図５の例においては、ＷＴＲＵ５００は、ソースｇＮＢ５１０から、ｇＮＢ１５１５についての条件付き再構成を含む、メッセージ５０５（例えば、ＲＲＣ再構成メッセージ）を受信する。ＷＴＲＵ５００は、例えば、それがソースｇＮＢ５１０に接続した後、メッセージ５０５を受信することができる。条件付き再構成は、トリガ条件、およびトリガ条件が発生した場合にｇＮＢ１５１５において適用される構成を含むことができる。トリガ条件は、例えば、ソースｇＮＢ５１０の品質が、（例えば、ＷＴＲＵに関するＲＳＲＰ、ＲＳＲＱ、またはＳＩＮＲに関して）ｇＮＢ１５１５の品質よりも低いかどうかを含むことができる。ＷＴＲＵ５００は、ステップ５２０において、トリガ条件を監視することを開始する。ＷＴＲＵ５００が、障害イベントを検出した条件５２５で、それは、トリガ条件を満足することがあり、または満足しないことがある。検出された障害が、トリガ条件を満足する条件５３０で、ＷＴＲＵ５００は、ステップ５３５において、ｇＮＢ１５１５を用いて、メッセージ５０５からの条件付き再構成を実行する。検出された障害が、トリガ条件を満足しない条件５２５で（例えば、ソースｇＮＢ５１０とのＲＬＦがあった）、ＷＴＲＵ５００は、強化された再確立手順５４０に入る。強化された再確立手順５４０において、ＷＴＲＵは、ステップ５４５において、セル選択を実行する。例えば、ＷＴＲＵは、最も高い信号品質、ＷＴＲＵによって検出可能なビームの最高数、およびセルが有効なＣＨＯを有するかどうかなど、任意の適切な基準の１つまたは複数に基づいて、セルを選択することができる。選択されたセルが、（メッセージ５０５からの構成であることがあり、または異なる構成であることがある）有効な（例えば、満了していない）ＣＨＯ構成を有する条件５５０で、ＷＴＲＵ５００は、条件付き再構成の条件が、満足されていない場合でさえも、ステップ５５５において、選択されたセル（例えば、この例においては、ｇＮＢ１５１５）に対するＣＨＯを実行する。選択されたセルが、有効な（例えば、満了していない）ＣＨＯ構成を有さない条件５５０で、ＷＴＲＵ５００は、ステップ５６０において、選択されたセル（例えば、この例においては、ｇＮＢ２５７０）との再確立手順を実行する。この例においては、それがハンドオーバのために構成されていないので、ｇＮＢ２  ５７０へのハンドオーバを、ＷＴＲＵ５００は、実行しない。
【０１６７】
特徴および要素が、上では特定の組み合わせで説明されたが、各特徴または要素は、単独で使用することができ、または他の特徴および要素との任意の組み合わせで使用することができることを当業者は理解されよう。加えて、本明細書において説明された方法は、コンピュータまたはプロセッサによって実行するための、コンピュータ可読媒体内に含まれる、コンピュータプログラム、ソフトウェア、またはファームウェアで実施することができる。コンピュータ可読媒体の例は、（有線または無線接続上において送信される）電子信号と、コンピュータ可読記憶媒体とを含む。コンピュータ可読記憶媒体の例は、限定されることなく、リードオンリメモリ（ＲＯＭ）、ランダムアクセスメモリ（ＲＡＭ）、レジスタ、キャッシュメモリ、半導体メモリデバイス、内蔵ハードディスクおよびリムーバブルディスクなどの磁気媒体、光磁気媒体、ならびにＣＤ−ＲＯＭディスクおよびデジタル多用途ディスク（ＤＶＤ）などの光媒体を含む。ソフトウェアと関連付けられたプロセッサを使用して、ＷＴＲＵ、ＵＥ、端末、基地局、ＲＮＣ、または任意のホストコンピュータにおいて使用するための、無線周波数送受信機を実施することができる。
【図１Ａ】
2021520114.tif 000012
【図１Ｂ】
2021520114.tif 000013
【図１Ｃ】
2021520114.tif 000014
【図１Ｄ】
2021520114.tif 000015
【図２】
2021520114.tif 000016
【図３】
2021520114.tif 000017
【図４】
2021520114.tif 000018
【図５】
2021520114.tif 000019
【手続補正書】
【提出日】令和3年2月16日(2021.2.16)
【手続補正１】
【補正対象書類名】特許請求の範囲
【補正対象項目名】全文
【補正方法】変更
【補正の内容】
【特許請求の範囲】
【請求項１】
条件付きハンドオーバ（ＣＨＯ）のための方法であって、
ＣＨＯ構成を受信するステップと、
無線リンク障害（ＲＬＦ）を検出するステップと、
前記ＲＬＦを検出すること応答して、セルを選択するセル選択手順を実行するステップと、
前記ＣＨＯ構成に関連付けられている前記選択されたセルに応答して、前記選択されたセルへＣＨＯを実行するステップと
を備える方法。
【請求項２】
前記ＣＨＯ構成は、構成されたターゲットセルを含む請求項１に記載の方法。
【請求項３】
前記ＣＨＯ構成は、トリガ条件を含む請求項１に記載の方法。
【請求項４】
前記トリガ条件は、ソースｇＮＢのしきい値品質を含む請求項３に記載の方法。
【請求項５】
前記ＣＨＯ構成は、前記ＲＬＦとは異なるトリガ条件を含む請求項１に記載の方法。
【請求項６】
前記ＣＨＯ構成は、前記ＲＬＦとは異なる請求項１に記載の方法。
【請求項７】
前記選択されたセルが前記ＣＨＯ構成に関連付けられている条件で、前記ＣＨＯのトリガ条件が満たされるかどうかに関係なく、前記選択されたセルへ前記ＣＨＯを実行するステップ
をさらに備える請求項１に記載の方法。
【請求項８】
前記選択されたセルが前記ＣＨＯ構成に関連付けられている条件で、前記ＣＨＯのトリガ条件とは異なるトリガ条件に基づいて、前記選択されたセルへ前記ＣＨＯを実行するステップ
をさらに備える請求項１に記載の方法。
【請求項９】
前記選択されたセルが異なるＣＨＯ構成に関連付けられている条件で、
前記ＣＨＯが有効な条件で、前記選択されたセルへ前記ＣＨＯを実行するステップ
をさらに備える請求項１に記載の方法。
【請求項１０】
前記選択されたセルが異なるＣＨＯ構成に関連付けられている条件で、
前記ＣＨＯが失効していない条件で、前記選択されたセルへ前記ＣＨＯを実行するステップ
をさらに備える請求項１に記載の方法。
【請求項１１】
ソースセルと関連付けられた無線送受信ユニット（ＷＴＲＵ）であって、
送受信機と、
プロセッサと
を備え、
前記送受信機および前記プロセッサは、条件付きハンドオーバ（ＣＨＯ）構成を受信するよう構成され、
前記送受信機および前記プロセッサは、無線リンク障害（ＲＬＦ）を検出するよう構成され、
前記送受信機および前記プロセッサは、前記ＲＬＦが検出される条件で、セルを選択するセル選択手順を実行するよう構成され、
前記送受信機および前記プロセッサは、前記選択されたセルが前記ＣＨＯ構成に関連付けられている条件で、前記選択されたセルへＣＨＯを実行するよう構成され、
前記送受信機および前記プロセッサは、前記選択されたセルが前記ＣＨＯ構成に関連付けられていない条件で、再確立手順を実行するよう構成された
ＷＴＲＵ。
【請求項１２】
前記ＣＨＯ構成は、構成されたターゲットセルを含む請求項１１に記載のＷＴＲＵ。
【請求項１３】
前記ＣＨＯ構成は、トリガ条件を含む請求項１１に記載のＷＴＲＵ。
【請求項１４】
前記トリガ条件は、ソースｇＮＢのしきい値品質を含む請求項１３に記載のＷＴＲＵ。
【請求項１５】
前記ＣＨＯ構成は、前記ＲＬＦとは異なるトリガ条件を含む請求項１１に記載のＷＴＲＵ。
【請求項１６】
前記ＣＨＯ構成は、前記ＲＬＦとは異なる請求項１１に記載のＷＴＲＵ。
【請求項１７】
前記送受信機および前記プロセッサは、前記選択されたセルが前記ＣＨＯ構成に関連付けられている条件で、前記ＣＨＯのトリガ条件が満たされるかどうかに関係なく、前記選択されたセルへ前記ＣＨＯを実行するよう構成された請求項１１に記載のＷＴＲＵ。
【請求項１８】
前記送受信機および前記プロセッサは、前記選択されたセルが前記ＣＨＯ構成に関連付けられている条件で、前記ＣＨＯのトリガ条件とは異なるトリガ条件に基づいて、前記選択されたセルへ前記ＣＨＯを実行するよう構成された請求項１１に記載のＷＴＲＵ。
【請求項１９】
前記送受信機および前記プロセッサは、前記選択されたセルが異なるＣＨＯ構成に関連付けられている条件で、前記ＣＨＯが有効な条件で、前記選択されたセルへ前記ＣＨＯを実行するよう構成された請求項１１に記載のＷＴＲＵ。
【請求項２０】
前記送受信機および前記プロセッサは、前記選択されたセルが異なるＣＨＯ構成に関連付けられている条件で、前記ＣＨＯが失効していない条件で、前記選択されたセルへ前記ＣＨＯを実行するよう構成された請求項１１に記載のＷＴＲＵ。  
【国際調査報告】
2021520114.tif 000020
2021520114.tif 000021
2021520114.tif 000022